(57)【要約】【課題】サイトの数や情報量が膨大のため利用者が情報を分類する労力は増加する。サイトを検索する場合、キーワードを対象にして検索されるが、前記のキーワードの用途には制限がある。また、音声ファイルや動画ファイルの検索する条件が少ない為、利用者が希望する検索結果を取得できない。【解決手段】サイトの数や情報量が膨大のため利用者が情報を分類する労力は増加する。サイトを検索する場合、キーワードを対象にして検索されるが、前記のキーワードの用途には制限がある。また、音声ファイルや動画ファイルの検索する条件が少ない為、利用者が希望する検索結果を取得できない。インターネットに接続した利用者のコンピュータや携帯電話に搭載したブラウザ、属性検索コンピュータ、インターネットに公開済み、あるいは今後公開するサイトを分類したＸＭＬ形式で記述した属性ファイル、および属性検索エンジンを使用する。【選択図】図１
2007279927.tif 000002
【特許請求の範囲】
【請求項１】
インターネットに接続されたコンピュータや携帯電話と、属性検索エンジン（以下、
エンジンと記す）を搭載した属性検索サーバ（以下、サーバと記す）と、インター
ネットにサイトを公開する各行政各企業各団体や個人のコンピュータで構成し、前記
の各行政各企業各団体や個人が、インターネットに公開するサイトの内容を、大・
中・小分類名や最下位属性名や最下位属性値で分類し、前記の大・中・小分類名や
最下位属性名と最下位属性値を記述した属性ファイルを作成し、前記の属性ファイル
を前記のサーバにアップロードし、インターネット利用者がブラウザで検索条件を
指定してサイトを検索する場合には、前記の属性ファイルの中から前記のブラウザで
入力した前記の検索条件に一致する
前記の属性ファイルの内容や、音声データ・動画データの内容を前記のブラウザに
分類して表示する属性検索システム。
【請求項２】
前記の大分類名は、政府・行政・医療・水産・農林・鉱業・建設・食料品・繊維製品・
パルプ紙・化学・医薬品・石油・石炭・ゴム・ガラス・土石・鉄鋼・非鉄金属・金属
製品・機械・電気機器・輸送用機器・精密機器・その他製品・卸売業・小売業・銀行・
証券・金融・保険・不動産・運輸・電気・ガス・倉庫・情報・通信・サービス・整理
監理・芸術・文化・教育・宗教・相談・介護福祉・宇宙・個人で論理構造を分類し、
前記の中分類名は、前記の各行政各企業各団体の名称や個人が公開するサイト名で
論理構造を分類し、前記の小分類名は、前記の各行政各企業各団体や個人が公開する
サイトのトップページやトップページ配下のサブページで論理構造を分類し、前記の
最下位属性名と最下位属性値は、前記のトップページのタイトル・前記のトップ
ページのＵＲＬ・前記のトップページの紹介文・前記のサブページのタイトル・
前記のサブページのＵＲＬ・前記のサブページの紹介文で論理構造を分類し、前記の
大・中・小分類名や最下位属性名はＸＭＬのタグ名に該当し、前記の最下位属性値は
前記のタグ名の属性値に該当するＸＭＬ形式で記述された属性ファイルを作成し、
前記の属性ファイルを前記のサーバにアップロードする事で、前記の属性検索の対象
とする属性検索システム。
【請求項３】
前記のブラウザは、検索欄と検索結果表示欄で構成し、検索欄は、検索対象の地域名
として、アジア・ヨーロッパ・アフリカ・アメリカ・オセアニア・南極北極に分類
され、例としてアジアの場合は日本や台湾などアジア各国の国名で分類し、
前記の国名の配下は、前記の大・中・小分類名や最下位属性名や最下位属性値の
表示と、音声データや動画データ（以下、マルチメディアデータと記す）の
データ名を検索する為のデータ名検索欄や、前記のマルチメディアデータの
内容を検索する為の内容検索欄や、前記のトップページやサブページの紹介文を検索
する為の紹介文検索欄を設け、検索結果表示欄は前記の検索欄で入力した検索条件に
一致する前記の属性ファイルの検索結果や、前記のマルチメディアデータの内容を
表示する為に、前記の検索対象の地域名や前記の国名や前記の大・中・小分類名や
最下位属性名や最下位属性値と最終更新日を分類して表示する機能を搭載する
ブラウザを使用する属性検索システム。
【請求項４】
前記のエンジンは前記のサーバに搭載し、前記のブラウザで入力された前記の検索
条件をＸＭＬの問い合わせ文に変換し、前記のサーバにアップロードされた前記の
属性ファイルの中から、前記の問い合わせ文の内容に一致する前記の属性ファイルや
前記のマルチメディアデータを検索し、その結果を前記のブラウザに送信する機能
を搭載した前記のエンジンと前記のサーバを使用する属性検索システム。
【発明の詳細な説明】
【技術分野】
【０００１】
本発明は、世界中のインターネット利用者が対象となる。
【背景技術】
【０００２】
インターネットと検索エンジンの普及により、あらゆる内容の情報を得られるように
なった。このような検索エンジンが記載された文献としては、下記特許文献が挙げら
れる。
【特許文献１】特許公開２００６−３１０８４号公報
【発明の開示】
【発明が解決しようとする課題】
【０００３】
インターネットと検索エンジンの普及によりあらゆる情報を得られるようになったが、
情報量が膨大であるがゆえに情報量と比例して、前記のインターネット利用者が情報を
分類する労力は増加する。
【０００４】
インターネットで情報を検索する場合、主にキーワードを対象にして検索されるが、
前記のキーワードに記述できる数と内容には制限や規制がある為、前記のインター
ネット利用者が本来希望している検索結果を取得できない場合がある。
【０００５】
インターネットで情報を検索する場合、サイトの情報だけではなく、前記のマルチ
メディアデータを検索する事があるが、その際、前記のマルチメディアデータを
検索する為の条件が少ない為、前記のインターネット利用者が本来希望している検索
結果を取得できない場合がある。
【課題を解決するための手段】
【０００６】
インターネットに接続されたコンピュータや携帯電話と、属性検索エンジン（以下、
エンジンと記す）を搭載した属性検索サーバ（以下、サーバと記す）と、インター
ネットにサイトを公開する各行政各企業各団体や個人のコンピュータで構成し、前記の
各行政各企業各団体や個人がインターネットに公開するサイトの内容を、大・中・
小分類名や最下位属性名や最下位属性値で分類し、前記の大・中・小分類名や最下位
属性名と最下位属性値を記述した属性ファイルを作成し、前記の属性ファイルを前記の
サーバにアップロードし、インターネット利用者がブラウザで検索条件を指定して
サイトを検索する場合には、前記の属性ファイルの中から前記のブラウザで入力した
前記の検索条件に一致する前記の属性ファイルの内容や、音声データ・動画データ
の内容を前記のブラウザに分類して表示する。
【０００７】
前記の大分類名は、政府・行政・医療・水産・農林・鉱業・建設・食料品・繊維製品・
パルプ紙・化学・医薬品・石油・石炭・ゴム・ガラス・土石・鉄鋼・非鉄金属・金属
製品・機械・電気機器・輸送用機器・精密機器・その他製品・卸売業・小売業・銀行・
証券・金融・保険・不動産・運輸・電気・ガス・倉庫・情報・通信・サービス・整理
監理・芸術・文化・教育・宗教・相談・介護福祉・宇宙・個人で論理構造を分類し、
前記の中分類名は、前記の各行政各企業各団体の名称や個人が公開するサイト名で
論理構造を分類し、前記の小分類名は、前記の各行政各企業各団体や個人が公開する
サイトのトップページやトップページ配下のサブページで論理構造を分類し、前記の
最下位属性名と最下位属性値は、前記のトップページのタイトル・前記のトップ
ページのＵＲＬ・前記のトップページの紹介文・前記のサブページのタイトル・
前記のサブページのＵＲＬ・前記のサブページの紹介文で論理構造を分類し、前記の
大・中・小分類名や最下位属性名はＸＭＬのタグ名に該当し、前記の最下位属性値は
前記のタグ名の属性値に該当するＸＭＬ形式で記述された属性ファイルを作成し、
前記の属性ファイルを前記のサーバにアップロードする事で、前記の属性検索の対象
とする。前記の紹介文は前記のキーワードに相当するが、前記のキーワードと比較
して制限や規制はなく、前記のトップページやサブページの紹介を自由に記述できる。
【０００８】
前記のブラウザは、検索欄と検索結果表示欄で構成し、検索欄は、検索対象の地域名
として、アジア・ヨーロッパ・アフリカ・アメリカ・オセアニア・南極北極に分類
され、例としてアジアの場合は日本や台湾などアジア各国の国名で分類し、
前記の国名の配下は、前記の大・中・小分類名や最下位属性名や最下位属性値の表示
と、音声データや動画データ（以下、マルチメディアデータと記す）のデータ
名を検索する為のデータ名検索欄や、前記のマルチメディアデータの内容を検索
する為の内容検索欄や、前記のトップページやサブページの紹介文を検索する為の
紹介文検索欄を設け、検索結果表示欄は前記の検索欄で入力した検索条件に一致する
前記の属性ファイルの検索結果や、前記のマルチメディアデータの内容を表示する
為に、前記の検索対象の地域名や前記の国名や前記の大・中・小分類名や最下位属性名
や最下位属性値と最終更新日を分類して表示する機能を搭載するブラウザを使用する。
【０００９】
前記のエンジンは前記のサーバに搭載し、前記のブラウザで入力された前記の検索条件
をＸＭＬの問い合わせ文に変換し、前記のサーバにアップロードされた前記の属性
ファイルの中から、前記の問い合わせ文の内容に一致する前記の属性ファイルや前記の
マルチメディアデータを検索し、その結果を前記のブラウザに送信する機能を搭載
した前記のエンジンと前記のサーバを使用する。
【発明の効果】
【００１０】
本発明は、インターネットに公開するサイトの内容を、前記の大・中・小分類名や
最下位属性名や属性値を使用して分類して表示する為、これまで前記のインターネット
利用者の負担となっていた情報を分類する労力の軽減を実現する。
【００１１】
本発明は、これまでインターネットを検索する為のキーワードは使用せず、サイトの
紹介文を採用する。前記の紹介文は前記のキーワードと比較して制限や規制を設け
ない為、柔軟な記述や検索が可能となり、前記のインターネット利用者が本来希望して
いる検索結果を取得しやすくなる。
【００１２】
本発明は、インターネットに公開する前記のマルチメディアデータを検索する際に、
多数多分岐に渡る前記の大・中・小分類属性名や最下位属性名と属性値を使用して分類
して表示する為、前記のインターネット利用者が本来希望する精度の高い検索結果の
提供を実現する。
【発明を実施するための最良の形態】
【００１３】
システムの構成を説明する。
図１が示すように、インターネットに接続されたコンピュータや携帯電話と、前記の
エンジンを搭載した前記のサーバと、インターネットにサイトを公開する前記の各行政
各企業各団体や個人のコンピュータで構成する。
前記の各行政各企業各団体や個人は、それぞれのサイトの内容を属性ファイルに
記述し、前記の属性ファイルを前記のサーバにアップロードする事で、前記の属性検索
システムの検索対象となる。前記のインターネット利用者は、前記のサーバが提供する
属性検索を利用する。
【００１４】
前記の大・中分類名と前記の属性ファイルとの関係を説明する。
図２が示すように、前記の大分類名が前記のサーバのフォルダ名となり、前記の
中分類名が前記の各行政各企業各団体の名称や個人が公開するサイト名となり、また
同時に前記のサーバのサブフォルダ名に相当し、前記の各行政各企業各団体や個人は、
それぞれ該当するフォルダに前記の属性ファイルをアップロードする事で属性検索
システムにおける検索対象とする。
【００１５】
前記の小分類名や最下位属性名と最下位属性値との関係を説明する。
図３が示すように、前記の小分類名は、前記の各行政各企業各団体や個人が公開する
前記のトップページやサブページとする。
前記の最下位属性名は、前記のトップページやサブページのタイトル・ＵＲＬ・紹介文
とする。
【００１６】
前記の属性ファイルに記述する大・中・小分類名や最下位属性名や最下位属性値の
記述例を説明する。
図４に示すように、前記の属性ファイルの上部から下部に向かって大・中・小分類名や
最下位属性名や最下位属性値を記述する。最下位属性値に該当する内容が無い場合は
空欄とする。記述方法については、ＸＭＬの仕様に準拠する。
【００１７】
前記のブラウザのレイアウトについて説明する。
図５に示すように、前記のブラウザの左部分に検索欄、右部分に検索結果表示欄を
設ける。
前記の検索欄は、上部から下部に向かって検索対象の地域名・検索対象の国名・検索
対象の大分類名・検索対象の中分類名・音声データを検索する為のデータ名
入力欄・音声の内容を検索する為の内容入力欄・動画データを検索する為のデータ
名入力欄・動画の内容を検索する為の内容入力欄・紹介文を検索する為の紹介文
入力欄を表示する。
前記の検索欄の下部には検索ボタン・キャンセルボタン・クリアボタンを設ける。
検索ボタンは検索を開始する場合に、キャンセルボタンは検索を中止する場合に、
クリアボタンは入力した検索条件の内容をクリアする場合にそれぞれ使用する。
【００１８】
検索前のブラウザの検索欄における大分類名までの表示について説明する。
図６に示すように、前記の検索対象の地域名でアジアを選択した場合は、その配下に
日本や台湾などアジア各国の国名を表示する。前記の国名で検索対象の国名を選択した
場合は、その配下に前記の大分類名である政府・行政・医療・水産・農林・鉱業・
建設・食料品・繊維製品・パルプ紙・化学・医薬品・石油・石炭・ゴム・ガラス・
土石・鉄鋼・非鉄金属・金属製品・機械・電気機器・輸送用機器・精密機器・その他
製品・卸売業・小売業・銀行・証券・金融・保険・不動産・運輸・電気・ガス・倉庫・
情報・通信・サービス・整理監理・芸術・文化・教育・宗教・相談・介護福祉・宇宙・
個人を表示する。
【００１９】
検索前のブラウザの検索欄における大分類名から最下位属性値までの表示について説明
する。
図７に示すように、前記の検索対象の地域名でアジアを選択し、前記の検索対象の国名
で日本を選択し、前記の大分類名で医療を選択した場合、前記のサーバにアップロード
した前記の属性ファイルに記述している前記の各行政各企業各団体の名称や個人が公開
するサイト名を表示する。前記の各行政各企業各団体の名称や個人が公開するサイト名
は中分類名に該当する。前記の各行政各企業各団体の名称や個人が公開するサイト名の
配下には、前記のマルチメディアデータを検索する為のデータ名検索欄や内容
検索欄や前記の紹介文を検索する為の紹介文検索欄を表示する。
【００２０】
検索後のブラウザの検索結果表示欄における表示について説明する。
図８に示すように、前述した００１９の検索前のブラウザの検索欄で入力した検索
条件で前記のサーバに搭載している前記のエンジンを介して得られた検索結果を表示
する。
前記の検索対象の地域名でアジアを選択し、前記の検索対象の国名で日本を選択し、
前記の大分類名で医療を選択し、前記の中分類名で前記の各行政各企業各団体の名称
として総合病院Ａを選択し、マルチメディアデータとして音声・動画の検索条件を
入力し、その結果得られた検索結果として、前記の総合病院Ａのトップページの
タイトル・ＵＲＬ・紹介文・最終更新日や、サブページのタイトル・ＵＲＬ・紹介文・
最終更新日や、音声データのデータ名・データの内容・最終更新日や、動画
データのデータ名・データの内容・最終更新日を分類して表示する。表示する
際にはスタイルシートを使用してフォーマットし見栄えを整える。
【００２１】
属性検索の仕組みとして、前記のブラウザと前記のサーバと前記のエンジンについて
説明する。
ここでは、複数の大分類名と複数の中分類名を検索する場合を想定する。
図９のブラウザの検索欄に示すように、大分類名で政府・行政・医療を選択し、
中分類名で首相官邸・総務省・総合病院Ａ・総合病院Ｂを選択し、これを検索条件
として検索を開始したと想定する。前記のブラウザが前記の検索条件を前記のサーバに
送信し、前記のサーバから前記のエンジンに検索条件を渡し、前記のエンジンが前記の
検索条件をＸＭＬの問い合わせ文に置き換える。
図９の１に相当する前記の問い合わせ文は、前記のサーバの政府フォルダと行政
フォルダと医療フォルダに存在する前記の属性ファイルの中から、中分類名に該当する
タグ名が首相官邸・総務省・総合病院Ａ・総合病院Ｂで記述されている属性ファイルを
検索する内容となる。
前記の問い合わせ文は図９の２のように、前記のサーバの政府フォルダと行政フォルダ
と医療フォルダに存在する前記の属性ファイルの中から、中分類名に該当するタグ名が
首相官邸・総務省・総合病院Ａ・総合病院Ｂで記述されている属性ファイルを検索
する。
図９−１に示すように、前記の問い合わせ文に一致する前記の属性ファイルの内容を、
検索結果としてＸＭＬ形式で前記のブラウザに渡し、分類して表示する。表示する際
にはスタイルシートを使用してフォーマットし見栄えを整える。
【００２２】
属性検索の仕組みとして、前記のブラウザと前記のサーバと前記のエンジンについて
説明する。
ここでは、ひとつの大分類名と複数の中分類名を検索する場合を想定する。
図１０のブラウザの検索欄に示すように、大分類名で医療を選択し、中分類名で
総合病院Ａ・総合病院Ｂを選択し、これを検索条件として検索を開始したと想定する。
前記のブラウザが前記の検索条件を前記のサーバに送信し、前記のサーバから前記の
エンジンに検索条件を渡し、前記のエンジンが前記の検索条件をＸＭＬの問い合わせ文
に置き換える。
図１０の３に相当する前記の問い合わせ文は、前記のサーバの医療フォルダに存在する
前記の属性ファイルの中から、中分類名に該当するタグ名が総合病院Ａ・総合病院Ｂで
記述されている属性ファイルを検索する内容となる。
前記の問い合わせ文は図１０の４のように、前記のサーバの医療フォルダに存在する
前記の属性ファイルの中から、中分類名に該当するタグ名が総合病院Ａ・総合病院Ｂで
記述されている属性ファイルを検索する。
図１０−１に示すように、前記の問い合わせ文に一致する前記の属性ファイルの内容
を、検索結果としてＸＭＬ形式で前記のブラウザに渡し、分類して表示する。表示する
際にはスタイルシートを使用してフォーマットし見栄えを整える。
【００２３】
属性検索の仕組みとして、前記のブラウザと前記のサーバと前記のエンジンについて
説明する。
ここでは、ひとつの大分類名とひとつの中分類名を検索する場合を想定する。
図１１のブラウザの検索欄に示すように、大分類名で医療を選択し、中分類名で
総合病院Ａを選択し、これを検索条件として検索を開始したと想定する。前記の
ブラウザが前記の検索条件を前記のサーバに送信し、前記のサーバから前記のエンジン
に検索条件を渡し、前記のエンジンが前記の検索条件をＸＭＬの問い合わせ文に
置き換える。
図１１の５に相当する前記の問い合わせ文は、前記のサーバの医療フォルダに存在する
前記の属性ファイルの中から、中分類名に該当するタグ名が総合病院Ａで記述されて
いる属性ファイルを検索する内容である。
前記の問い合わせ文は図１１の６のように、前記のサーバの医療フォルダに存在する
前記の属性ファイルの中から、中分類名に該当するタグ名が総合病院Ａで記述されて
いる属性ファイルを検索する。
図１１−１に示すように、前記の問い合わせ文に一致する前記の属性ファイルの
内容を、検索結果としてＸＭＬ形式で前記のブラウザに渡し、分類して表示する。
表示する際にはスタイルシートを使用してフォーマットし見栄えを整える。
【００２４】
属性検索の仕組みとして、前記のブラウザと前記のサーバと前記のエンジンについて
説明する。
ここでは、音声データを検索する場合を想定する。
図１２のブラウザの検索欄に示すように、大分類名で医療を選択し、中分類名は
選択せず、前記の音声データ名は拡張子がｖｘｍｌを指定し、音声の内容に
「みなさんこんにちは」が含まれる前記の音声データとして、これを検索条件として
検索を開始したと想定する。前記のブラウザが前記の検索条件を前記のサーバに
送信し、前記のサーバから前記のエンジンに検索条件を渡し、前記のエンジンが前記の
検索条件をＸＭＬの問い合わせ文に置き換える。
図１２の７に相当する前記の問い合わせ文は、前記のサーバの医療フォルダに存在する
ファイルの中から、ＶｏｉｃｅＸＭＬで記述された前記の音声データを検索する内容
である。
前記の問い合わせ文は図１２の８のように、前記のサーバの医療フォルダに存在する
ファイルの中から、ＶｏｉｃｅＸＭＬで記述された前記の音声データと、前記の音声
データが存在するサブフォルダ（前記の中分類名に相当）と、前記のサブフォルダに
存在する属性ファイルを検索する。また、前記の音声データを判別する為に、前記の
音声データの拡張子がｖｘｍｌであり、前記の音声データの音声を記述している
タグ名の属性値に「みなさんこんにちは」の文字が含まれる前記の音声データを検索
する。
図１２−１に示すように、前記の問い合わせ文に一致する前記の属性ファイルの内容を
検索結果としてＸＭＬ形式で前記のブラウザに渡し、分類して表示する。前記の音声
データの検索結果として、図１２−１の９に示すように、前記の検索条件のひとつ
である前記の音声データ名の拡張子がｖｘｍｌで前記の音声の内容に「みなさん
こんにちは」が含まれるデータが存在すれば、その内容を表示する。表示する際には
スタイルシートを使用してフォーマットし見栄えを整える。
【００２５】
属性検索の仕組みとして、前記のブラウザと前記のサーバと前記のエンジンについて
説明する。
ここでは、動画データを検索する場合を想定する。
図１３のブラウザの検索欄に示すように、大分類名で医療を選択し、中分類名は
選択せず、前記の動画データ名は拡張子がｓｍｉかｓｍｉｌを指定し、動画の内容に
「院長  あいさつ」が含まれる前記の動画データとし、これを検索条件として検索を
開始したと想定する。前記のブラウザが前記の検索条件を前記のサーバに送信し、前記
のサーバから前記のエンジンに検索条件を渡し、前記のエンジンが前記の検索条件を
ＸＭＬの問い合わせ文に置き換える。
図１３の１０に相当する前記の問い合わせ文は、前記のサーバの医療フォルダに存在
するファイルの中から、ＳＭＩＬで記述された前記の音声データを検索する内容
である。
前記の問い合わせ文は図１３の１１のように、前記のサーバの医療フォルダに存在する
ファイルの中から、ＳＭＩＬで記述された前記の動画データと、前記の動画データ
が存在するサブフォルダ（前記の中分類名に相当）と、前記のサブフォルダに存在する
属性ファイルを検索する。また、前記の動画データを判別する為に、前記の動画
データの拡張子がｓｍｉかｓｍｉｌであり、前記の動画データのメタ情報に
含まれる動画のタイトルを記述しているタグ名の属性値に「院長  あいさつ」の文字が
含まれる前記の動画データを検索する。
図１３−１に示すように、前記の問い合わせ文に一致する前記の属性ファイルの内容を
検索結果としてＸＭＬ形式で前記のブラウザに渡し、分類して表示する。前記の音声
データの検索結果として、図１３−１の１２に示すように、前記の検索条件のひとつ
である前記の動画データ名の拡張子がｓｍｉｌで、前記の動画データの内容が
「院長  あいさつ」が含まれるデータが存在すれば、その内容を表示する。
表示する際にはスタイルシートを使用してフォーマットし見栄えを整える。
【００２６】
属性検索の仕組みとして、前記のブラウザと前記のサーバと前記のエンジンについて
説明する。
ここでは、サイトの紹介文を検索する場合を想定する。
図１４のブラウザの検索欄に示すように、大分類名で医療を選択し、中分類名は
選択せず、前記のサイトの紹介文で「入院」を入力し、これを検索条件として検索を
開始したと想定する。前記のブラウザが前記の検索条件を前記のサーバに送信し、
前記のサーバから前記のエンジンに検索条件を渡し、前記のエンジンが前記の検索
条件をＸＭＬの問い合わせ文に置き換える。
図１４の１３に相当する前記の問い合わせ文は、前記のサーバの医療フォルダに存在
する前記の属性ファイルの紹介文タグの属性値に「入院」の文字が記述されている
前記の属性ファイルを検索する内容である。
前記の問い合わせ文は図１４の１４のように、前記のサーバの医療フォルダに存在する
前記の属性ファイルの紹介文タグの属性値に「入院」の文字が記述されている前記の
属性ファイルを検索する。
図１４−１に示すように、前記の問い合わせ文に一致する前記の属性ファイルの内容を
検索結果としてＸＭＬ形式で前記のブラウザに渡し、分類して表示する。前記の紹介文
の検索結果として、図１４−１の１５に示すように、前記の紹介文の内容が「入院」が
含まれるファイルが存在すれば、その内容を表示する。表示する際にはスタイルシート
を使用してフォーマットし見栄えを整える。
【産業上の利用可能性】
【００２７】
本発明は、世界中のインターネット利用者に対するものである。
【図面の簡単な説明】
【００２８】
【図１】システム構成図である。
【図２】大・中分類名と前記の属性ファイルとの関係図である。
【図３】小分類名や最下位属性名と最下位属性値との関係図である。
【図４】属性ファイルに記述する大・中・小分類名や最下位属性名や最下位属性値の記述例である。
【図５】ブラウザのレイアウトについて説明図である。
【図６】検索前のブラウザの検索欄における大分類名までの表示の説明図である。
【図７】検索前のブラウザの検索欄における大分類名から最下位属性値までの表示の説明図である。
【図８】検索後のブラウザの検索結果表示欄における表示の説明図である。
【図９】属性検索の仕組みの説明図である。
【図９−１】検索後のブラウザの検索結果表示欄における表示の説明図である。
【図１０】属性検索の仕組みの説明図である。
【図１０−１】検索後のブラウザの検索結果表示欄における表示の説明図である。
【図１１】属性検索の仕組みの説明図である。
【図１１−１】検索後のブラウザの検索結果表示欄における表示の説明図である。
【図１２】属性検索の仕組みの説明図である。
【図１２−１】検索後のブラウザの検索結果表示欄における表示の説明図である。
【図１３】属性検索の仕組みの説明図である。
【図１３−１】検索後のブラウザの検索結果表示欄における表示の説明図である。
【図１４】属性検索の仕組みの説明図である。
【図１４−１】検索後のブラウザの検索結果表示欄における表示の説明図である。
【符号の説明】
【００２９】
１    問い合わせ文
２    検索対象
３    問い合わせ文
４    検索対象
５    問い合わせ文
６    検索対象
７    問い合わせ文
８    検索対象
９    音声データの検索結果
１０    問い合わせ文
１１    検索対象
１２    動画データの検索結果
１３    問い合わせ文
１４    検索対象
１５    紹介文の検索結果
【図１】
2007279927.tif 000003
【図２】
2007279927.tif 000004
【図３】
2007279927.tif 000005
【図４】
2007279927.tif 000006
【図５】
2007279927.tif 000007
【図６】
2007279927.tif 000008
【図７】
2007279927.tif 000009
【図８】
2007279927.tif 000010
【図９】
2007279927.tif 000011
【図９−１】
2007279927.tif 000012
【図１０】
2007279927.tif 000013
【図１０−１】
2007279927.tif 000014
【図１１】
2007279927.tif 000015
【図１１−１】
2007279927.tif 000016
【図１２】
2007279927.tif 000017
【図１２−１】
2007279927.tif 000018
【図１３】
2007279927.tif 000019
【図１３−１】
2007279927.tif 000020
【図１４】
2007279927.tif 000021
【図１４−１】
2007279927.tif 000022
【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
（１）全体の説明として、
インターネットに接続されたコンピュータや携帯電話と、属性検索エンジン
（以下、エンジンと記す）を搭載した属性検索サーバ（以下、サーバと記す）
と、インターネットにサイトを公開する各行政各企業各団体や個人の
コンピュータで構成し、
（２）属性と論理構造の説明として、
前記の各行政各企業各団体や個人が、インターネットに公開するサイトの
内容を、大・中・小分類名と最下位属性名と最下位属性値で分類し、
前記の大分類名として、
政府・行政・医療・水産・農林・鉱業・建設・食料品・繊維製品・パルプ紙・
化学・医薬品・石油・石炭・ゴム・ガラス・土石・鉄鋼・非鉄金属・金属製品・
機械・電気機器・輸送用機器・精密機器・その他製品・卸売業・小売業・銀行・
証券・金融・保険・不動産・運輸・電気・ガス・倉庫・情報・通信・サービス・
整理監理・芸術・文化・教育・宗教・相談・介護福祉・宇宙・個人で論理構造を
分類し、
前記の中分類名として、
前記の大分類名の配下に存在し、前記の各行政各企業各団体の名称や個人が
公開するサイト名で論理構造を分類し、
前記の小分類名として、
前記の中分類名の配下に存在し、前記の各行政各企業各団体や個人が公開する
サイトのトップページとトップページの配下のサブページで論理構造を分類し、
前記の最下位属性名と最下位属性値として、
前記の小分類名の配下に存在し、前記のトップページのタイトル・前記のトップ
ページのＵＲＬ・前記のトップページの紹介文・前記のサブページのタイトル・
前記のサブページのＵＲＬ・前記のサブページの紹介文で論理構造を分類し、
（３）属性ファイルの説明として、
請求項１の（２）の大・中・小分類名と最下位属性名はＸＭＬのタグ名に
該当し、請求項１の（２）の最下位属性値は前記の最下位属性名のタグ名の
属性値に対応する、ＸＭＬ形式で記述した属性ファイルを作成し、
（４）請求項１の（１）のサーバの物理的構成と前記（３）の属性ファイルの
関係の説明として、
請求項１の（１）のサーバのハードディスクに存在するフォルダ名が
請求項１の（２）の大分類名に相当し、前記のフォルダ名の配下に存在する
サブフォルダ名が請求項１の（２）の中分類名に相当し、
前記の各行政各企業各団体や個人は、それぞれ対応する前記の
サブフォルダ名の配下に請求項１の（２）の各行政各企業各団体の名称や個人が
公開するサイト名のサブフォルダ名を作成し、請求項１の（３）の
属性ファイルをアップロードし、
（５）ブラウザの検索欄と検索結果表示欄の説明として、
請求項１の（１）のサーバに接続してサイトを検索しその結果を表示する
ブラウザは検索欄と検索結果表示欄で構成し、
前記の検索欄の説明として、
検索対象の地域名（以下、検索部１と記す）でアジア・ヨーロッパ・アフリカ・
アメリカ・オセアニア・南極北極に分類し、例としてアジアの場合は日本や
台湾などアジア各国の国名（以下、検索部２と記す）で分類し、
前記の国名の配下は、請求項１の（２）の大分類名（以下、検索部３と記す）で
分類し、前記の大分類名の配下は、請求項１の（２）の中分類名（以下、
検索部４と記す）で分類し、
前記の中分類名の配下は、ＸＭＬ形式で作成した音声データと動画データ
（以下、マルチメディアデータと記す）の内、音声データのデータ名を検索する
為のデータ名検索欄（以下、検索部５と記す）と、音声データの内容を検索する
為の内容検索欄（以下、検索部６と記す）と、動画データのデータ名を検索する
為のデータ名検索欄（以下、検索部７と記す）と、動画データの内容を検索する
為の内容検索欄（以下、検索部８と記す）と、請求項１の（２）のトップページ
とサブページの紹介文を検索する為の紹介文検索欄（以下、検索部９と記す）で
分類し、前記の検索部５と検索部６の為の見出し文字として音声見出し文字と、
前記の検索部７と検索部８の為の見出し文字として動画見出し文字と、
前記の検索部５の為の見出し文字としてデータ名見出し文字と、
前記の検索部６の為の見出し文字として音声の内容見出し文字と、
前記の検索部７の為の見出し文字としてデータ名見出し文字と、
前記の検索部８の為の見出し文字として動画の内容見出し文字と、
前記の検索部９の為の見出し文字として紹介文見出し文字と、
前記の検索部１から検索部４の左側や右側には、インターネット利用者が前記の
検索部１から検索部４までを検索対象や検索非対象としてクリックして選択
できる検索対象表示チェック欄をそれぞれ付与し、前記の音声見出し文字と
動画見出し文字と紹介文見出し文字の左側や右側には、インターネット利用者が
前記の検索部５から検索部９までを検索対象や検索非対象としてクリックして
選択できる検索対象表示チェック欄をそれぞれ付与し、
前記の検索部１の説明として、
ひとつの地域名とひとつの地域名の配下の複数の検索部２を検索地域名
ブロックとしてとらえ、前記の検索地域名ブロックに付与している前記の検索
対象表示チェック欄（以下、検索部１のチェック欄と記す）をクリックする
たびに、前記の検索部１のチェック欄の表示が検索対象や検索非対象に
切り替わり、前記の検索部１のチェック欄が検索対象の表示であれば、前記の
検索部１を表示している位置から下部の方向へ複数の前記の検索部２を
視覚的に階層化して段落を付与して展開表示し、前記の検索部１の
チェック欄が検索非対象であれば、前記の検索部１を表示している位置に
向かって下部から上部の方向へ複数の前記の検索部２の展開表示を戻して
前記の検索部１のみの表示にし、
前記の検索部２の説明として、
ひとつの国名とひとつの国名の配下の複数の検索部３を検索国名ブロック
としてとらえ、前記の検索国名ブロックに付与している前記の検索対象表示
チェック欄（以下、検索部２のチェック欄と記す）をクリックするたびに、
前記の検索部２のチェック欄の表示が検索対象や検索非対象に切り替わり、
前記の検索部２のチェック欄が検索対象の表示であれば、前記の検索部２を表示
している位置から下部の方向へ複数の前記の検索部３を視覚的に階層化して
段落を付与して展開表示し、前記の検索部２のチェック欄が検索非対象
であれば、前記の検索部２を表示している位置に向かって下部から上部の方向へ
複数の前記の検索部３の展開表示を戻して前記の検索部２のみの表示にし、
前記の検索部３の説明として、
ひとつの大分類名とひとつの大分類名の配下の複数の検索部４を検索大分類名
ブロックとしてとらえ、前記の検索大分類名ブロックに付与している前記の
検索対象表示チェック欄（以下、検索部３のチェック欄と記す）をクリック
するたびに、前記の検索部３のチェック欄の表示が検索対象や検索非対象に
切り替わり、前記の検索部３のチェック欄が検索対象の表示であれば、前記の
検索部３を表示している位置から下部の方向へ複数の前記の検索部４を
視覚的に階層化して段落を付与して展開表示し、前記の検索部３の
チェック欄が検索非対象であれば、前記の検索部３を表示している位置に
向かって下部から上部の方向へ複数の前記の検索部４の展開表示を戻して
前記の検索部３のみの表示にし、
前記の検索部４の説明として、
ひとつの中分類名とひとつの中分類名の配下の複数の検索部５を検索中分類名
ブロックとしてとらえ、前記の検索中分類名ブロックに付与している前記の
検索対象表示チェック欄（以下、検索部４のチェック欄と記す）をクリック
するたびに、前記の検索部４のチェック欄の表示が検索対象や検索非対象に
切り替わり、前記の検索部４のチェック欄が検索対象の表示であれば、
前記の検索部４を表示している位置から下部の方向へ複数の前記の検索部５を
視覚的に階層化して段落を付与して展開表示し、前記の検索部４の
チェック欄が検索非対象であれば、前記の検索部４を表示している位置に
向かって下部から上部の方向へ複数の前記の検索部５の展開表示を戻して
前記の検索部４のみの表示にし、
前記の音声見出し文字とデータ名見出し文字と検索部５と音声の内容見出し
文字と検索部６の説明として、
前記の音声見出し文字とデータ名見出し文字と検索部５と音声の内容見出し
文字と検索部６までを検索音声ブロックとしてとらえ、前記の音声見出し
文字に付与している前記の検索対象表示チェック欄（以下、検索部５・６の
チェック欄と記す）をクリックするたびに、前記の検索部５・６のチェック欄の
表示が検索対象や検索非対象に切り替わり、前記の検索部５・６のチェック欄が
検索対象の表示であれば、前記の音声見出し文字を表示している位置から下部の
方向へ前記のデータ名見出し文字と検索部５と音声の内容見出し文字と検索部６
ごとに視覚的に階層化して段落を付与して展開表示し、前記の検索部５・６の
チェック欄が検索非対象であれば、前記の音声見出し文字を表示している位置に
向かって下部から上部の方向へ前記のデータ名見出し文字と検索部５と音声の
内容見出し文字と検索部６までの展開表示を戻して前記の音声見出し文字のみの
表示にし、
前記の動画見出し文字とデータ名見出し文字と検索部７と動画の内容見出し
文字と検索部８の説明として、
前記の動画見出し文字とデータ名見出し文字と検索部７と動画の内容見出し
文字と検索部８までを検索動画ブロックとしてとらえ、前記の動画見出し文字に
付与している前記の検索対象表示チェック欄（以下、検索部７・８のチェック欄
と記す）をクリックするたびに、前記の検索部７・８のチェック欄の表示が
検索対象や検索非対象に切り替わり、前記の検索部７・８のチェック欄が
検索対象であれば、前記の動画見出し文字を表示している位置から下部の方向へ
前記のデータ名見出し文字と検索部７と動画の内容見出し文字と検索部８ごとに
視覚的に階層化して段落を付与して展開表示し、前記の検索部７・８の
チェック欄が検索非対象であれば、前記の動画見出し文字を表示している位置に
向かって下部から上部の方向へ前記のデータ名見出し文字と検索部７と動画の
内容見出し文字と検索部８までの展開表示を戻して前記の動画見出し文字のみの
表示にし、
前記の紹介文見出し文字と検索部９までの説明として、
前記の紹介文見出し文字と検索部９までを検索紹介文ブロックとしてとらえ、
前記の紹介文見出し文字に付与している前記の検索対象表示チェック欄（以下、
検索部９のチェック欄と記す）をクリックするたびに、前記の検索部９の
チェック欄の表示が検索対象や検索非対象に切り替わり、前記の検索部９の
チェック欄が検索対象であれば、前記の紹介文見出し文字を表示している位置
から下部の方向へ前記の紹介文見出し文字と検索部９ごとに視覚的に階層化
して段落を付与して展開表示し、前記の検索部９のチェック欄が検索非対象で
あれば、前記の紹介文見出し文字を表示している位置に向かって下部から上部の
方向へ紹介文見出し文字と検索部９までの展開表示を戻して前記の紹介文見出し
文字のみの表示にし、
前記の検索欄の検索部１から検索部９までと音声見出し文字と動画見出し文字と
データ名見出し文字と音声の内容見出し文字と動画の内容見出し文字と紹介文
見出し文字と検索対象表示チェック欄の全てを、前記の１つのブラウザの１つの
検索欄内に一度で表示しながら使用可能であり、
前記の検索結果表示欄の説明として、
請求項１の（５）の検索欄で得られた検索結果の地域名（以下、検索結果部１と
記す）と、
検索結果の国名（以下、検索結果部２と記す）と、
検索結果の大分類名（以下、検索結果部３と記す）と、
検索結果の中分類名（以下、検索結果部４と記す）と、
検索結果のトップページのタイトル（以下、検索結果部５と記す）と、
検索結果のトップページのＵＲＬ（以下、検索結果部６と記す）と、
検索結果のトップページの紹介文（以下、検索結果部７と記す）と、
検索結果のサブページのタイトル（以下、検索結果部８と記す）と、
検索結果のサブページのＵＲＬ（以下、検索結果部９と記す）と、
検索結果のサブページの紹介文（以下、検索結果部１０と記す）と、
検索結果の音声データのデータ名（以下、検索結果部１１と記す）と
検索結果の音声データの内容（以下、検索結果部１２と記す）と
検索結果の動画データのデータ名（以下、検索結果部１３と記す）と
検索結果の動画データの内容（以下、検索結果部１４と記す）と
前記の検索結果部５のトップページと前記の検索結果部８のサブページの
最終更新日（以下、検索結果部１５と記す）と、
前記の検索結果部１１と前記の検索結果部１２の最終更新日（以下、
検索結果部１６と記す）と、前記の検索結果部１３と前記の検索結果部１４の
最終更新日（以下、検索結果部１７と記す）と、前記の検索結果部５から
検索結果部７の為の見出し文字としてトップページ見出し文字と、前記の
検索結果部８から検索結果部１０の為の見出し文字としてサブページ見出し
文字と、前記の検索結果部１１と前記の検索結果部１２の為の音声見出し
文字と、前記の検索結果部１３と前記の検索結果部１４の為の動画見出し文字で
分類し、前記の検索結果部１から検索結果部４の左側や右側には、
インターネット利用者が検索結果部１から検索結果部４までを検索結果表示
対象や検索結果表示非対象としてクリックして選択できる検索結果表示
チェック欄をそれぞれ付与し、前記のトップページ見出し文字とサブページ
見出し文字の左側や右側には、インターネット利用者が検索結果部５から
検索結果部１０までを検索結果表示対象や検索結果表示非対象としてクリック
して選択できる検索結果表示チェック欄をそれぞれ付与し、前記の音声見出し
文字と動画見出し文字の左側や右側には、インターネット利用者が検索結果部
１１から検索結果部１４までを検索結果表示対象や検索結果表示非対象として
クリックして選択できる検索結果表示チェック欄をそれぞれ付与し、
前記の検索結果部１の説明として、
ひとつの地域名とひとつの地域名の配下の単数あるいは複数の検索結果部２を
検索結果地域名ブロックとしてとらえ、前記の検索結果地域名ブロックに付与
している前記の検索結果表示チェック欄（以下、検索結果部１のチェック欄と
記す）をクリックするたびに、前記の検索結果部１のチェック欄の表示が
検索結果表示や検索結果非表示に切り替わり、前記の検索結果部１の
チェック欄が検索結果表示であれば、前記の検索結果部１を表示している位置
から下部の方向へ単数あるいは複数の前記の検索結果部２を視覚的に階層化
して段落を付与して展開表示し、前記の検索結果部１のチェック欄が検索結果
非表示であれば、前記の検索結果部１を表示している位置に向かって下部から
上部の方向へ単数あるいは複数の前記の検索結果部２の展開表示を戻して前記の
検索結果部１のみの表示にし、
前記の検索結果部２の説明として、
ひとつの国名とひとつの国名の配下の単数あるいは複数の検索結果部３を
検索結果国名ブロックとしてとらえ、前記の検索結果国名ブロックに付与して
いる前記の検索結果表示チェック欄（以下、検索結果部２のチェック欄と記す）
をクリックするたびに、前記の検索結果部２のチェック欄の表示が検索結果
表示や検索結果非表示に切り替わり、前記の検索結果部２のチェック欄が
検索結果表示であれば、前記の検索結果部２を表示している位置から下部の
方向へ単数あるいは複数の前記の検索結果部３を視覚的に階層化して段落を
付与して展開表示し、前記の前記の検索結果部２のチェック欄が検索結果
非表示であれば、前記の検索結果部２を表示している位置に向かって下部から
上部の方向へ単数あるいは複数の前記の検索結果部３の展開表示を戻して前記の
検索結果部２のみの表示にし、
前記の検索結果部３の説明として、
ひとつの大分類名とひとつの大分類名の配下の単数あるいは複数の
検索結果部４を検索結果大分類名ブロックとしてとらえ、前記の検索結果
大分類名ブロックに付与している前記の検索結果表示チェック欄（以下、
検索結果部３のチェック欄と記す）をクリックするたびに、前記の検索
結果部３のチェック欄の表示が検索結果表示や検索結果非表示に切り替わり、
前記の検索結果部３のチェック欄が検索結果表示であれば、前記の検索
結果部３を表示している位置から下部の方向へ単数あるいは複数の前記の
検索結果部４を視覚的に階層化して段落を付与して展開表示し、前記の検索
結果部３のチェック欄が検索結果非表示であれば、前記の検索結果部３を
表示している位置に向かって下部から上部の方向へ単数あるいは複数の前記の
検索結果部４の展開表示を戻して前記の検索結果部３のみの表示にし、
前記の検索結果部４の説明として、
ひとつの中分類名とひとつの中分類名の配下の単数あるいは複数の検索
結果部５を検索結果中分類名ブロックとしてとらえ、前記の検索結果中分類名
ブロックに付与している前記の検索結果表示チェック欄（以下、検索結果部４の
チェック欄と記す）をクリックするたびに、前記の検索結果部４のチェック欄の
表示が検索結果表示や検索結果非表示に切り替わり、前記の検索結果部４の
チェック欄が検索結果表示であれば、前記の検索結果部４を表示している位置
から下部の方向へ単数あるいは複数の前記の検索結果部５を視覚的に階層化して
段落を付与して展開表示し、前記の検索結果部４のチェック欄が検索結果
非表示であれば、前記の検索結果部４を表示している位置に向かって下部から
上部の方向へ単数あるいは複数の前記の検索結果部５の展開表示を戻して前記の
検索結果部４のみの表示にし、
前記の検索結果部５から検索結果部７の説明として、
ひとつのトップページとひとつのトップページの配下の単数あるいは複数の
検索結果部５から検索結果部７を検索結果トップページブロックとしてとらえ、
前記の検索結果トップページブロックのトップページ見出し文字に付与している
前記の検索結果表示チェック欄（以下、検索結果部５のチェック欄と記す）を
クリックするたびに、前記の検索結果部５のチェック欄の表示が検索結果表示や
検索結果非表示に切り替わり、前記の検索結果部５のチェック欄が検索結果
表示であれば、前記のトップページ見出し文字を表示している位置から下部の
方向へ単数あるいは複数の前記の検索結果部５から検索結果部７を視覚的に
階層化して段落を付与して展開表示し、前記の検索結果部５のチェック欄が
検索結果非表示であれば、前記のトップページ見出し文字を表示している位置に
向かって下部から上部の方向へ単数あるいは複数の前記の検索結果部５から検索
結果部７の展開表示を戻して前記のトップページ見出し文字のみの表示にし、
前記の検索結果部８から検索結果部１０の説明として、
ひとつのサブページとひとつのサブページの配下の単数あるいは複数の検索
結果部８から検索結果部１０を検索結果サブページブロックとしてとらえ、
前記の検索結果サブページブロックのサブページ見出し文字に付与している
前記の検索結果表示チェック欄（以下、検索結果部８のチェック欄と記す）を
クリックするたびに、前記の検索結果部８のチェック欄の表示が検索結果表示や
検索結果非表示に切り替わり、前記の検索結果部８のチェック欄が検索結果
表示であれば、前記のサブページ見出し文字を表示している位置から下部の
方向へ単数あるいは複数の前記の検索結果部８から検索結果部１０を視覚的に
階層化して段落を付与して展開表示し、前記の検索結果部８のチェック欄が
検索結果非表示であれば、前記のサブページ見出し文字を表示している位置に
向かって下部から上部の方向へ単数あるいは複数の前記の検索結果部８から
検索結果部１０の展開表示を戻して前記のサブページ見出し文字のみの表示
にし、
前記の検索結果部１１と検索結果部１２の説明として、
単数あるいは複数の検索結果部１１と検索結果部１２までを検索結果音声
ブロックとしてとらえ、前記の検索結果音声ブロックの音声見出し文字に付与
している前記の検索結果表示チェック欄（以下、検索結果部１１のチェック欄と
記す）をクリックするたびに、前記の検索結果音声ブロックが検索結果表示や
検索結果非表示に切り替わり、前記の検索結果部１１のチェック欄が検索結果
表示であれば、前記の音声見出し文字を表示している位置から下部の方向へ
単数あるいは複数の前記の検索結果部１１と検索結果部１２ごとに視覚的に
階層化して段落を付与して展開表示し、前記の検索結果部１１のチェック欄が
検索結果非表示であれば、前記の音声見出し文字を表示している位置に
向かって下部から上部の方向へ単数あるいは複数の前記の検索結果部１１と
検索結果部１２の展開表示を戻して前記の音声見出し文字のみの表示にし、
前記の検索結果部１３と検索結果部１４の説明として、
単数あるいは複数の検索結果部１３と検索結果部１４までを検索結果動画
ブロックとしてとらえ、前記の検索結果動画ブロックの動画見出し文字に付与
している前記の検索結果表示チェック欄（以下、検索結果部１３のチェック欄
と記す）をクリックするたびに、前記の検索結果動画ブロックが検索結果表示や
検索結果非表示に切り替わり、前記の検索結果部１３のチェック欄が検索結果
表示であれば、前記の動画見出し文字を表示している位置から下部の方向へ
単数あるいは複数の前記の検索結果部１３と検索結果部１４ごとに視覚的に
階層化して段落を付与して展開表示し、前記の検索結果部１３のチェック欄が
検索結果非表示であれば、前記の動画見出し文字を表示している位置に
向かって下部から上部の方向へ単数あるいは複数の前記の検索結果部１３と
検索結果部１４の展開表示を戻して前記の動画見出し文字のみの表示にし、
前記の検索結果表示欄の検索結果部１から検索結果部１７までとトップページ
見出し文字とサブページ見出し文字と音声見出し文字と動画見出し文字と
検索結果表示チェック欄の全てを、前記の１つのブラウザの１つの検索結果
表示欄内に一度で表示しながら使用可能であり、
（７）請求項１の（５）のブラウザの検索欄で指定する検索条件の説明として、
請求項１の（５）の検索部１から検索部９が検索条件となり、
請求項１の（５）の検索部１から検索部４の検索条件として、
検索を希望する検索部１から検索部４のそれぞれに付与している請求項１の
（５）の検索対象表示チェック欄を選択しクリックするだけで検索条件となり、
請求項１の（５）の検索部５と検索部７の検索条件として、
請求項１の（１）のサーバのオペレーティングシステムが準拠する禁則文字
以外であれば使用制限がなく、併せてＶｏｉｃｅＸＭＬやｓｍｉやＳＭＩＬが
準拠する拡張子であれば使用制限がなく、
請求項１の（５）の検索部６と検索部８の検索条件として、
ＶｏｉｃｅＸＭＬやｓｍｉやＳＭＩＬが準拠する属性値であれば使用制限が
なく、
請求項１の（５）の検索部９の検索条件として、
請求項１の（４）の属性ファイルに記述しているトップページの紹介文・
サブページの紹介文の文中の内容であれば使用制限がなく、併せて請求項１の
（４）の属性ファイルに記述するトップページの紹介文・サブページの紹介文
は使用制限がなく、
（８）請求項１の（１）のエンジンの説明として、
請求項１の（５）の検索部１の検索対象表示チェック欄が検索対象であれば、
前記の検索部１を請求項１の（１）のサーバから検索する問い合わせ文を
作成し、請求項１の（５）の検索部２の検索対象表示チェック欄が検索対象で
あれば、前記の検索部２を請求項１の（１）のサーバから検索する
問い合わせ文を作成し、請求項１の（５）の検索部３の検索対象表示
チェック欄が検索対象であれば、前記の検索部３を請求項１の（１）のサーバの
フォルダから検索する問い合わせ文を作成し、請求項１の（５）の検索部４の
検索対象表示チェック欄が検索対象であれば、前記の検索部４と一致する
中分類名タグ名を記述している請求項１の（４）の属性ファイルを、請求項１の
（１）のサーバから検索する問い合わせ文を作成し、請求項１の（５）の
検索部５の検索対象表示チェック欄が検索対象であれば、前記の検索部５が
含まれる請求項１の（５）の音声データを、請求項１の（１）のサーバから検索
する問い合わせ文を作成し、請求項１の（５）の検索部６の検索対象表示
チェック欄が検索対象であれば、前記の検索部６が含まれる請求項１の（５）の
音声データの内容を記述しているタグ名の属性値が存在する音声データを、
請求項１の（１）のサーバから検索する問い合わせ文を作成し、請求項１の
（５）の検索部７の検索対象表示チェック欄が検索対象であれば、前記の
検索部７が含まれる請求項１の（５）の動画データを、請求項１の（１）の
サーバから検索する問い合わせ文を作成し、請求項１の（５）の検索部８の検索
対象表示チェック欄が検索対象であれば、前記の検索部８が含まれる請求項１の
（５）の動画データの内容を記述しているタグ名の属性値が存在する動画
データを、請求項１の（１）のサーバから検索する問い合わせ文を作成し、
請求項１の（５）の検索部９の検索対象表示チェック欄が検索対象であれば、
前記の検索部９が含まれる請求項１の（４）の属性ファイルの紹介文タグの
属性値が存在する請求項１の（４）の属性ファイルを、請求項１の（１）の
サーバから検索する問い合わせ文を作成し、前記の検索部１から検索部９の
検索対象表示チェック欄が検索対象になっている単数あるいは複数の前記の
問い合わせ文を検索必須条件でそれぞれ組み合わせ、（以下、組み合わせ１と
記す）前記の検索部１から検索部９の検索対象表示チェック欄が検索非対象に
なっている単数あるいは複数の前記の問い合わせ文を検索非必須条件で
それぞれ組み合わせ、（以下、組み合わせ２と記す）組み合わせ１と
組み合わせ２をさらに組み合わせて、最終的な問い合わせ文を作成し請求項１の
（１）のサーバに対して検索を行う請求項１の属性検索システム。
【手続補正書】
【提出日】平成18年9月30日(2006.9.30)
【手続補正１】
【補正対象書類名】特許請求の範囲
【補正対象項目名】全文
【補正方法】変更
【補正の内容】
【特許請求の範囲】
【請求項１】
１−１から１−５の全体構成である請求項１の属性検索システム。
（１−１）
インターネットに接続した利用者のコンピュータや携帯電話に搭載した
ブラウザ（以下、ブラウザと記す）に検索欄と検索結果表示欄を設け、
検索欄は、検索欄カテゴリ名、ファイル名検索欄、紹介文検索欄、および
検索開始機能を搭載し、検索結果表示欄は、１−４−４の編集結果を表示する
機能を搭載する。
（１−２）
インターネットに接続した属性検索コンピュータ
（以下、コンピュータと記す）を設置する。
（１−３）
インターネットに公開済み、あるいは今後公開するサイトを分類した
カテゴリ情報、およびサイト情報を、ＸＭＬ形式で記述した属性ファイル。
（１−４）
１−４−１から１−４−４の機能を搭載した属性検索エンジン
（以下、エンジンと記す）。
（１−４−１）
１−１のブラウザの検索欄に表示するための検索欄カテゴリ名を取得、
編集、および返信する検索欄カテゴリ名取得編集返信機能。
（１−４−２）
１−１のブラウザの検索欄で選択、あるいは入力した検索条件を基に、
１−３の属性ファイル、およびＸＭＬ形式で作成した音声ファイルと
動画ファイル（以下、メディアファイルと記す）を検索する検索機能。
（１−４−３）
１−４−２の検索結果を１−１のブラウザの検索結果表示欄にカテゴリ名別に
表示するために編集する編集機能。
（１−４−４）
１−４−３の編集結果を１−１のブラウザに返信する返信機能。
（１−５）
１−３の属性ファイル、あるいは１−４−２のメディアファイル、あるいは
１−４のエンジンは、１−５−ａ、あるいは１−５−ｂの２種類の構成とする。
（１−５−ａ）
１−２のコンピュータのハードディスクに搭載。
（１−５−ｂ）
１−２のコンピュータとは別のコンピュータのハードディスクに搭載。
【請求項２】
請求項１の１−３の属性ファイルは、２−１、および２−２の内容とする請求項１の
属性検索システム。
（２−１）
請求項１の１−３の属性ファイルに記述するサイトの分類と構造は、
上位分類・中位分類・下位分類（以下、カテゴリと記す）に分類し、
下位分類の配下は属性名に分類し、属性名には属性値を設定して、
請求項１の１−３の属性ファイルの構造（以下、構造と記す）とする。
前記の属性名は、サイトのタイトル、サイトのＵＲＬ、サイトの紹介文
（以下、紹介文と記す）とする。
前記のカテゴリをカテゴリ情報とし、前記の属性名、および属性値を
サイト情報とする。
（２−２）
請求項１の１−３の属性ファイルに記述するカテゴリ情報、およびサイト情報は、
２−１の構造に則って、２−２−１、および２−２−２の内容とする。
（２−２−１）
２−１のカテゴリ情報は、２−２−１−ａ、あるいは２−２−１−ｂの
２種類がある。
（２−２−１−ａ）
任意のカテゴリ名を属性ファイルに記述。
（２−２−１−ｂ）
任意のカテゴリ関係名、および２−２−１−ａのカテゴリ名を
属性ファイルに記述。
（２−２−２）
２−１のサイト情報は、２−２−２−ａ、あるいは２−２−２−ｂの
２種類がある。
（２−２−２−ａ）
任意の属性名、および任意の属性値を属性ファイルに記述。
（２−２−２−ｂ）
任意の属性関係名、および任意の属性値を属性ファイルに記述。
【請求項３】
請求項１の１−１のブラウザの検索欄は、３−１から３−５の機能を搭載し、
請求項１の１−１のブラウザの検索結果表示欄は、３−６の機能を搭載する
請求項１の属性検索システム。
（３−１）
請求項１の１−１のブラウザの検索欄カテゴリ名は、請求項４の４−１で
取得したカテゴリ名を、請求項２の２−１の構造に則って、カテゴリ間の関係が
分かるように視覚的に階層化して段落を付与して表示する。
利用者が、前記の検索欄カテゴリ名の中から、任意にカテゴリ名を選択することで
検索対象カテゴリとし、検索条件の一部とする。
（３−２）
請求項１の１−１のファイル名検索欄は、請求項１の１−４−２の
メディアファイル名を検索するための入力欄で、検索条件の一部とする。
（３−３）
請求項１の１−１の収録内容検索欄は、請求項１の１−４−２の
メディアファイルの収録内容を検索するための入力欄で、検索条件の一部とする。
前記の収録内容とは、動画ファイルの場合はメタ情報であり、音声ファイルの
場合はメタ情報、および音声内容である。
（３−４）
請求項１の１−１の紹介文検索欄は、請求項２の２−１の紹介文を検索するための
入力欄で、検索条件の一部とする。
（３−５）
請求項１の１−１の検索開始機能は、検索開始機能の表示部分を選択することで、
３−１から３−４の検索欄で選択、あるいは入力した検索条件を組み合わせて、
請求項１の１−４、および請求項４のエンジンに対して検索条件を送信して検索を
開始する。
（３−６）
請求項１の１−１の検索結果表示欄は、請求項４の４−４で受信した編集結果の
カテゴリ名、サイト情報、ファイル名、収録内容、紹介文のうち、前記の
カテゴリ名を請求項２の２−１の構造に則って、カテゴリ間の関係が
分かるように視覚的に階層化して段落を付与して展開表示する。
前記のサイト情報、ファイル名、収録内容、紹介文は、それぞれが属する
カテゴリ名の配下に表示する。
【請求項４】
請求項１の１−４、および請求項４のエンジンは、４−１から４−４の機能を
搭載した請求項１の属性検索システム。
（４−１）
検索欄カテゴリ名取得編集返信機能は、４−１−１から４−１−３の機能を
搭載する。
（４−１−１）
請求項１の１−１の検索欄の検索欄カテゴリ名を表示するために
カテゴリ情報を取得する検索欄カテゴリ名取得機能。
取得方法は、４−１−１−ａ、あるいは４−１−１−ｂの２種類がある。
（４−１−１−ａ）
請求項１の１−３の属性ファイルからカテゴリ情報を取得。
（４−１−１−ｂ）
請求項１の１−５のコンピュータのハードディスクにフォルダを
設ける。
前記のフォルダは、請求項２の２−１のカテゴリと一致し、前記の
フォルダからカテゴリ情報を取得。
（４−１−２）
４−１−１で取得した検索欄カテゴリ名を、請求項２の２−１の構造に
則って、カテゴリ間の関係が分かるように視覚的に階層化して段落を
付与して展開表示する編集を行う検索欄カテゴリ名編集機能。
（４−１−３）
４−１−２の編集結果を請求項１の１−１のブラウザに返信する
検索欄カテゴリ名返信機能。
（４−２）
請求項１の１−１、および請求項３のブラウザの検索欄で指定した
検索条件を基に、請求項１の１−３、および請求項２の属性ファイル、
および請求項１の１−４−２のメディアファイルを検索するための検索機能。
（４−３）
４−２の検索結果のカテゴリ名、サイト情報、ファイル名、収録内容、
紹介文のうち、前記のカテゴリ名を請求項２の２−１の構造に則って、
カテゴリ間の関係が分かるように視覚的に階層化して段落を付与して
展開表示するために編集する。
前記のサイト情報、ファイル名、収録内容、紹介文は、それぞれが属する
カテゴリ名の配下に編集する編集機能。
（４−４）
４−３の編集結果を、請求項１の１−１、および請求項３のブラウザに
返信する返信機能。
【手続補正２】
【補正対象書類名】明細書
【補正対象項目名】全文
【補正方法】変更
【補正の内容】
【発明の詳細な説明】
【技術分野】
【０００１】
本発明は、世界中のインターネット利用者（以下、利用者と記す）が対象となる。
【背景技術】
【０００２】
インターネットと検索エンジンの普及により、あらゆる内容の情報を得られるように
なった。このような検索エンジンが記載された文献としては、下記特許文献を
挙げる。
【特許文献１】特許公開２００６−３１０８４号公報
【特許文献２】特許公開２００２−１３２８０８号公報
【特許文献３】特許公開２０００−１１２９７２号公報
【発明の開示】
【発明が解決しようとする課題】
【０００３】
検索結果の視覚的な分類表示に対する課題。
インターネットと検索エンジンの普及により、あらゆる情報を得られるように
なったが、情報量が膨大であるがゆえに、情報量と比例して利用者が情報を分類する
労力は増加する。
（０００３−１）
例えば、従来の検索エンジンを利用して仮に「特許」というキーワードで
検索すると、約２６，０００，０００件のサイトが検索結果としてヒットするが、
この検索結果は、サイトのタイトルやＵＲＬや簡単なサイトの内容や
最終更新日などが、単なる検索結果のリストの一覧で表示されるため、利用者の
検索結果が、カテゴリ全体に対してどのカテゴリに分布しているか、および
分布先のカテゴリのヒット件数がどの程度であるか、視覚的にも不明である為、
利用者が閲覧を希望するカテゴリを優先的に効率よく閲覧することが困難である。
（０００３−２）
また、約２６，０００，０００件の検索結果を１ページあたり１０件単位で閲覧
する場合、２，６００，０００ページに相当する検索結果を閲覧しなければならず、
現実として全てを閲覧することは困難であり、２６，０００，０００件の
検索結果のうち、半分以上の検索結果を閲覧せずに終わっているのが現状であろう。
一方、別の検索エンジンでは、検索結果としてカテゴリも表示されるが、
カテゴリ全体のどのカテゴリに分布するかという全体を表示するものではなく、
単なる検索結果のリストの一覧の形式で表示されるため、利用者の検索結果が、
カテゴリ全体に対してどのカテゴリに分布しているか、および分布先のカテゴリの
ヒット件数が不明である。
（０００３−３）
このように、従来の検索エンジンは、情報をカテゴリで分類しているにも関わらず、
検索結果を視覚的にカテゴリで分類せず、単なる検索結果のリストの一覧で表示して
いるため、検索結果のリストの一覧と、時には利用者の勘を頼りにサイトを
閲覧せざるを得ないという不便が残る。
つまり、検索結果の分類作業の負担は利用者に課せられている。
【０００４】
検索キーワードの柔軟性に対する課題。
インターネットで情報を検索する場合、キーワードを対象にして検索されるが、
前記のキーワードはＨＴＭＬファイルに単語の羅列でのみ記述しなければならず、
また、記述できるキーワードの数にも上限があり、利用者が本来希望している
検索結果を取得できない場合がある。
例えば、従来の検索エンジンで検索結果を絞り込みたい場合は、検索条件入力欄で
複数のキーワードを区切って検索ができるが、このような検索は、検索対象となる
ＨＴＭＬファイルのキーワードと一致するかをチェックする為、利用者が閲覧したい
サイトが存在したとしても、前記のファイルのキーワードと一致しない限り、
利用者が当該サイトを閲覧することはできない。皮肉にも検索するための
キーワードが、閲覧を希望するサイトの検索を妨げている場合がある。
【０００５】
メディアファイルの検索機能に対する課題。
インターネットで情報を検索する場合、サイトだけではなく、音声ファイルや
動画ファイル（以下、メディアファイルと記す）を検索する事があるが、その際、
前記のメディアファイルを検索する条件が少ない為、利用者が本来希望している
検索結果を取得できない場合がある。
例えば、従来の検索エンジンも、前記のメディアファイルの検索を可能とするが、
前記のメディアファイルの検索条件には、前記のメディアファイルの保存形式による
検索や、前記のメディアファイルのサイズによる検索など、前記のメディアファイルの
外見特徴を主とした検索であるが、前記の外見特徴はメディアファイルを検索した
結果で判明する情報であり、利用者が前記のメディアファイルを検索する時点では、
前記の外見特徴はほとんどの場合は不明である。
本来、利用者が前記のメディアファイルを検索する場合の条件は、外見特徴よりも
前記のメディアファイルのタイトル、出演者名、ハイライト名、説明、あるいは
著作権名などを推測して検索条件とする方が自然であり、かつ利用しやすい。
今後もさらに科学技術が発展する過程で、情報伝達媒体も比例して発展すると
思われ、従来のテキストデータによる情報伝達媒体もさることながら、
テキストデータでは表現できない情報伝達媒体については、前記のメディアファイルの
必要性が高まると推測する。
前記のメディアファイルの新たな検索手段を講じる必要がある。
【課題を解決するための手段】
【０００６】
課題を解決するための全体の構成を説明する。
（０００６−１）
インターネットに接続した利用者のコンピュータや携帯電話に搭載した
ブラウザ（以下、ブラウザと記す）に検索欄と検索結果表示欄を設け、
検索欄は、検索欄カテゴリ名、ファイル名検索欄、紹介文検索欄、および
検索開始機能を搭載し、検索結果表示欄は、０００６−４−４の編集結果を表示する
機能を搭載する。
（０００６−２）
インターネットに接続した属性検索コンピュータ（以下、コンピュータと記す）
を設置する。
（０００６−３）
インターネットに公開済み、あるいは今後公開するサイトを分類した
カテゴリ情報、およびサイト情報を、ＸＭＬ形式で記述した属性ファイル。
（０００６−４）
０００６−４−１から０００６−４−４の機能を搭載した属性検索エンジン
（以下、エンジンと記す）。
（０００６−４−１）
０００６−１のブラウザの検索欄に表示するための検索欄カテゴリ名を取得、
編集、および返信する検索欄カテゴリ名取得編集返信機能。
（０００６−４−２）
０００６−１のブラウザの検索欄で選択、あるいは入力した検索条件を基に、
０００６−３の属性ファイル、およびＸＭＬ形式で作成した音声ファイルと
動画ファイル（以下、メディアファイルと記す）を検索する検索機能。
（０００６−４−３）
０００６−４−２の検索結果を０００６−１のブラウザの検索結果表示欄に
カテゴリ名別に表示するために編集する編集機能。
（０００６−４−４）
０００６−４−３の編集結果を０００６−１のブラウザに返信する返信機能。
（０００６−５）
０００６−３の属性ファイル、あるいは０００６−４−２のメディアファイル、
あるいは０００６−４のエンジンは、０００６−５−ａ、あるいは
０００６−５−ｂの２種類の構成とする。
（０００６−５−ａ）
０００６−２のコンピュータのハードディスクに搭載。
（０００６−５−ｂ）
０００６−２のコンピュータとは別のコンピュータのハードディスクに搭載。
【０００７】
０００３、および０００４の課題を解決するために、０００６−３の手段を
説明する。
（０００７−１）
０００６−３の属性ファイルに記述するサイトの分類と構造は、
上位分類・中位分類・下位分類（以下、カテゴリと記す）に分類し、
下位分類の配下は属性名に分類し、属性名には属性値を設定して、
０００６−３の属性ファイルの構造（以下、構造と記す）とする。
前記の属性名は、サイトのタイトル、サイトのＵＲＬ、サイトの紹介文
（以下、紹介文と記す）とする。
前記のカテゴリをカテゴリ情報とし、前記の属性名、および属性値をサイト情報と
する。
（０００７−２）
０００６−３の属性ファイルに記述するカテゴリ情報、およびサイト情報は、
０００７−１の構造に則って、０００７−２−１、および０００７−２−２の
内容とする。
（０００７−２−１）
０００７−１のカテゴリ情報は、０００７−２−１−ａ、あるいは
０００７−２−１−ｂの２種類がある。
（０００７−２−１−ａ）
任意のカテゴリ名を属性ファイルに記述。
（０００７−２−１−ｂ）
任意のカテゴリ関係名、および０００７−２−１−ａのカテゴリ名を
属性ファイルに記述。
（０００７−２−２）
０００７−１のサイト情報は、０００７−２−２−ａ、あるいは
０００７−２−２−ｂの２種類がある。
（０００７−２−２−ａ）
任意の属性名、および任意の属性値を属性ファイルに記述。
（０００７−２−２−ｂ）
任意の属性関係名、および任意の属性値を属性ファイルに記述。
【０００８】
０００３から０００５の課題を解決するために、０００６−１の手段を説明する。
０００６−１のブラウザの検索欄は、０００８−１から０００８−５の機能で実現し、
０００６−１のブラウザの検索結果表示欄は、０００８−６の機能で実現する。
（０００８−１）
０００６−１のブラウザの検索欄カテゴリ名は、０００９−１で取得した
カテゴリ名を、０００７−１の構造に則って、カテゴリ間の関係が分かるように
視覚的に階層化して段落を付与して表示する。
利用者が、前記の検索欄カテゴリ名の中から、任意にカテゴリ名を選択することで
検索対象カテゴリとし、検索条件の一部とする。
（０００８−２）
０００６−１のファイル名検索欄は、０００６−４−２のメディアファイル名を
検索するための入力欄で、検索条件の一部とする。
（０００８−３）
０００６−１の収録内容検索欄は、０００６−４−２のメディアファイルの
メディアファイルの収録内容を検索するための入力欄で、検索条件の一部とする。
前記の収録内容とは、動画ファイルの場合はメタ情報であり、音声ファイルの場合は
メタ情報、および音声を記述している箇所である。
前記のメタ情報は、ファイルのタイトル、説明、出演者、ハイライト名、
著作権名など、つまり前記のメディアファイルの構造のうち、動画自体を宣言
している箇所以外の動画ファイルの説明を記述する箇所であり、
メディアファイル向けＸＭＬのタグ名、あるいはタグ名に対する属性値である。
（０００８−４）
０００６−１の紹介文検索欄は、０００７−１の紹介文を検索するための入力欄で、
検索条件の一部とする。
（０００８−５）
０００６−１の検索開始機能は、検索開始機能の表示部分を選択することで、
０００８−１から０００８−４の検索欄で選択、あるいは入力した検索条件を
組み合わせて、０００６−４、および０００９のエンジンに対して検索条件を
送信して検索を開始する。
（０００８−６）
０００６−１の検索結果表示欄は、０００９−４で受信した編集結果のカテゴリ名、
サイト情報、ファイル名、収録内容、紹介文のうち、前記のカテゴリ名を
０００７−１の構造に則って、カテゴリ間の関係が分かるように視覚的に階層化して
段落を付与して展開表示する。
前記のサイト情報、ファイル名、収録内容、紹介文は、それぞれが属する
カテゴリ名の配下に表示する。
【０００９】
０００３から０００５の課題を解決するために、０００６−４の手段を説明する。
０００６−４、および０００９のエンジンは、０００９−１から０００９−４の
機能を搭載する。
（０００９−１）
検索欄カテゴリ名取得編集返信機能は、０００９−１−１から０００９−１−３の
機能がある。
（０００９−１−１）
０００６−１の検索欄の検索欄カテゴリ名を表示するためにカテゴリ情報を
取得する検索欄カテゴリ名取得機能。
取得方法は、０００９−１−１−ａ、あるいは０００９−１−１−ｂの２種類が
ある。
（０００９−１−１−ａ）
０００６−３の属性ファイルからカテゴリ情報を取得。
（０００９−１−１−ｂ）
０００６−５のコンピュータのハードディスクにフォルダを設ける。
前記のフォルダは、０００７−１のカテゴリと一致し、前記のフォルダから
カテゴリ情報を取得。
（０００９−１−２）
０００９−１−１で取得した検索欄カテゴリ名を、０００７−１の構造に
則って、カテゴリ間の関係が分かるように視覚的に階層化して段落を付与して
展開表示する編集を行う検索欄カテゴリ名編集機能。
（０００９−１−３）
０００９−１−２の編集結果を０００６−１のブラウザに返信する
検索欄カテゴリ名返信機能。
（０００９−２）
０００６−１、および０００８のブラウザの検索欄で指定した検索条件を基に、
０００６−３、および０００７の属性ファイルと、０００６−４−２の
メディアファイルを検索するための検索機能。
（０００９−３）
０００９−２の検索結果のカテゴリ名、サイト情報、ファイル名、収録内容、
紹介文のうち、前記のカテゴリ名を０００７−１の構造に則って、
カテゴリ間の関係が分かるように視覚的に階層化して段落を付与して展開表示
するために編集する。
前記のサイト情報、ファイル名、収録内容、紹介文は、それぞれが属する
カテゴリ名の配下に編集する編集機能。
（０００９−４）
０００９−３の編集結果を、０００６−１、および０００８のブラウザに返信する
返信機能。
【発明の効果】
【００１０】
０００６−１、０００６−３、および０００６−４の手段で、以下の効果がある。
検索結果の視覚的な分類表示による操作性向上、分類労力の軽減、および
検索キーワードの柔軟性向上による検索条件の用途拡大。
（００１０−１）
この発明では、検索条件と検索結果をカテゴリで分類し、ひとつのブラウザの
検索欄と検索結果表示欄にそれぞれカテゴリ別に視覚的に階層化して段落を付与して
一度に表示して使用できる。
検索する場合においては、利用者は、それぞれカテゴリ別に分類され視覚的に
階層化して段落を付与した検索欄の中から、検索対象とするカテゴリを選択
するだけで検索対象カテゴリとして指定できる。
（００１０−２）
また、前記のカテゴリだけではなく、メディアファイルを検索する条件を設け、
ひとつは、前記のメディアファイル名を検索するファイル名検索欄と
一方は、前記のメディアファイルのタイトル、説明、出演者、ハイライト名、
著作権名などを検索する収録内容検索欄である。
利用者は、前記のメディアファイル名、あるいはメディアファイルのタイトル、
説明、出演者、ハイライト名、著作権名などを推測して検索できる。
前記のファイル名検索、および収録内容検索は、ＯＳ、ＸＭＬ、あるいは
メディアファイル向けＸＭＬが準拠する禁則文字以外は無限に指定できる。
（００１０−３）
さらに、サイト検索の場合に、ＨＴＭＬファイルのキーワードだけに頼らず、
紹介文を設けて紹介文に記述する文章の検索も実現する紹介文検索欄である。
文章による検索が可能になることで、従来のキーワードの組み合わせを考慮しながら
サイトの検索を行う必要がないため、利用者が自由に検索条件を利用できる。
０００４にも説明しているが、ＨＴＭＬファイルのキーワードの用途には有限性が
あるが、紹介文の用途はＯＳ、ＸＭＬ、あるいはメディアファイル向けＸＭＬが
準拠する禁則文字を除いては無限である。
（００１０−４）
００１０−２のファイル名検索欄、および収録内容検索欄、および００１０−３の
紹介文検索欄は、それぞれ００１０−１のカテゴリ別に組み合わせて検索することが
可能である。
つまり、カテゴリ数×３（前記の検索欄３箇所）の検索条件の組み合わせを一度で
指定できる。
（００１０−５）
一方、００１０−１の検索結果表示欄も、それぞれカテゴリ別に視覚的に
階層化して段落を付与して一度に表示するため、容易にカテゴリを選択してサイトを
閲覧できる。
例えば、従来の検索エンジンを利用して仮に「特許」というキーワードで
検索すると、約２６，０００，０００件のサイトが検索結果としてヒットし、
約２６，０００，０００件の検索結果を１ページあたり１０件単位で閲覧する場合、
２，６００，０００ページに相当する検索結果を閲覧する必要があるが、
この発明では、検索結果表示欄にそれぞれカテゴリ別に視覚的に階層化して段落を
付与して一度（１ページ）に表示して使用できる。
つまり、カテゴリの全体に対する検索結果のカテゴリの分布、および分布先の
カテゴリのヒット件数が視覚的にも明確である為、利用者が閲覧を希望する
カテゴリを優先的に効率よく閲覧することが可能である。
【００１１】
（００１１−１）
０００６−３、および０００６−４の手段で、以下の効果が挙げられる。
検索キーワードの柔軟性向上による検索条件の用途拡大、および利用者への
検索利便性の向上。
この発明では、ＸＭＬ形式で作成した属性ファイルを採用し、前記の属性ファイルに
サイトを紹介する紹介文を記述する。
サイトを検索する場合には、利用者が検索条件として入力した紹介文が、
どの属性ファイルの紹介文に含まれるかを検索する。
ＨＴＭＬファイルに記述するキーワードは単語の羅列のみの制約があるが、
前記の紹介文は、ＯＳ、ＸＭＬ、あるいはメディアファイルＸＭＬが準拠する
禁則文字以外は制約がないため、自由に紹介文を記述できる。
（００１１−２）
また、利用者も、文章による検索が可能になることで、従来のキーワードの
組み合わせを考慮しながらサイトの検索を行う必要がないため、利用者が自由に
検索条件を利用できる。
【００１２】
（００１２−１）
０００６−１、０００６−３、および０００６−４の手段で、以下の効果が
挙げられる。
メディアファイルの検索機能の充実。
利用者が前記のメディアファイルを検索する条件も多種多様に用意した。
例として、歌詞の一部しか分からない音声ファイルを検索するケースや、
ある出来事のハイライトを収録した動画ファイルを検索するケースなど多数
考えられ、出来事の名称、開催名、推測できるハイライト名、出演者、あるいは
著作権名など多数である。
この発明では、前記のメディアファイルの名称を検索するファイル名検索欄と、
前記のメディアファイルの収録内容を検索する収録内容検索欄を備えている。
前記のファイル名検索欄は、検索したいメディアファイルのファイル名を入力し
検索できる。
前記の収録内容検索欄は、検索したいメディアファイルのタイトル、説明、
出演者、ハイライト名、著作権名などを入力し検索できる。
前記のファイル名検索、および前記の収録内容検索の検索条件は、ＯＳ、ＸＭＬ、
あるいはメディアファイル向けＸＭＬが準拠する禁則文字以外は無限である。
前記のメディアファイルに利用者が検索しやすい詳細な文言を記述することで
さらに検索しやすくなる。
（００１２−２）
今後もさらに科学技術が発展する過程で、情報伝達媒体も比例して発展すると
思われ、従来のテキストデータによる情報伝達媒体もさることながら、
テキストデータでは表現できない情報伝達媒体については、前記の
メディアファイルの必要性が高まると推測する。
この発明では、前記のメディアファイルの新たな検索手段を提供する。
【発明を実施するための最良の形態】
【００１３】
図１にシステムの構成を説明する。
（００１３−１）
インターネットに接続した利用者のコンピュータや携帯電話に搭載した
ブラウザ（以下、ブラウザと記す）に検索欄と検索結果表示欄を設け、
検索欄は、検索欄カテゴリ名、ファイル名検索欄、紹介文検索欄、および
検索開始機能を搭載し、検索結果表示欄は、００１３−４−４の編集結果を表示する
機能を搭載する。前記のブラウザは、図１の１に相当する。
（００１３−２）
インターネットに接続した属性検索コンピュータ（以下、コンピュータと記す）
を設置し、図１の２に相当する。
（００１３−３）
インターネットに公開済み、あるいは今後公開するサイトを分類したカテゴリ情報、
およびサイト情報を、ＸＭＬ形式で記述した属性ファイル。
前記の属性ファイルは、図１の３に相当する。
（００１３−４）
００１３−４−１から００１３−４−３の機能を搭載した属性検索エンジン
（以下、エンジンと記す）で、図１の４に相当する。
（００１３−４−１）
００１３−１のブラウザの検索欄に表示するための検索欄カテゴリ名を取得、
編集、および返信する検索欄カテゴリ名取得編集返信機能。
（００１３−４−２）
００１３−１のブラウザの検索欄で選択、あるいは入力した検索条件を基に、
００１３−３の属性ファイル、およびＸＭＬ形式で作成した音声ファイルと
動画ファイル（以下、メディアファイルと記す）を検索する検索機能。
前記のメディアファイルは、図１の５に相当する。
（００１３−４−３）
００１３−４−２の検索結果を００１３−１のブラウザの検索結果表示欄に
カテゴリ名別に表示するために編集する編集機能。
（００１３−４−４）
００１３−４−３の編集結果を００１３−１のブラウザに返信する返信機能。
（００１３−５）
００１３−３の属性ファイル、あるいは００１３−４−２のメディアファイル、
あるいは００１３−４のエンジンは、００１３−５−ａ、あるいは
００１３−５−ｂの２種類の構成とする。
（００１３−５−ａ）
００１３−２のコンピュータのハードディスクに搭載し、図１の６に相当する。
（００１３−５−ｂ）
００１３−２のコンピュータとは別のコンピュータのハードディスクに搭載し、
図１の７に相当する。
【００１４】
属性ファイルを説明する。
（００１４−１）
図２−１のように、
００１３−３の属性ファイルに記述するサイトの分類と構造は、
上位分類・中位分類・下位分類（以下、カテゴリと記す）に分類し、
下位分類の配下は属性名に分類し、属性名には属性値を設定して、
００１３−３の属性ファイルの構造（以下、構造と記す）とする。
前記の属性名は、サイトのタイトル、サイトのＵＲＬ、サイトの紹介文
（以下、紹介文と記す）とする。
前記のカテゴリをカテゴリ情報（図２−１のａ）とし、前記の属性名、および
属性値をサイト情報（図２−１のｂ）とする。
（００１４−２）
００１３−３の属性ファイルに記述するカテゴリ情報、およびサイト情報は、
００１４−１の構造に則って、００１４−２−１、および００１４−２−２の
内容とする。
（００１４−２−１）
００１４−１のカテゴリ情報は、００１４−２−１−ａ、あるいは
００１４−２−１−ｂの２種類がある。
（００１４−２−１−ａ）
任意のカテゴリ名を属性ファイルに記述し、図２−２に相当する。
（００１４−２−１−ｂ）
任意のカテゴリ関係名、および００１４−２−１−ａのカテゴリ名を
属性ファイルに記述し、図２−３に相当する。
（００１４−２−２）
００１４−１のサイト情報は、００１４−２−２−ａ、あるいは
００１４−２−２−ｂの２種類がある。
（００１４−２−２−ａ）
任意の属性名、および任意の属性値を属性ファイルに記述し、図２−４に
相当する。
（００１４−２−２−ｂ）
任意の属性関係名、および任意の属性値を属性ファイルに記述し、
図２−５に相当する。
【００１５】
ブラウザを説明する。
００１３−１のブラウザの検索欄は、００１５−１から００１５−５の機能で実現し、
００１３−１のブラウザの検索結果表示欄は、００１５−６の機能で実現する。
（００１５−１）
００１３−１のブラウザの検索欄カテゴリ名（図３の１）は、００１６−１で
取得したカテゴリ名を、００１４−１の構造に則って、カテゴリ間の関係が
分かるように視覚的に階層化して段落を付与して表示する。
利用者が、前記の検索欄カテゴリ名の中から、任意にカテゴリ名を選択することで
検索対象カテゴリとし、検索条件の一部とする。
（００１５−２）
００１３−１のファイル名検索欄（図３の２）は、００１３−４−２の
メディアファイル名を検索するための入力欄で、検索条件の一部とする。
入力内容は、００１３−５のコンピュータのＯＳ、ＸＭＬ、あるいは
メディアファイル向けＸＭＬが準拠する禁則文字以外が使用可能であり、
００１５−３、００１５−４の入力内容も同様である。
（００１５−３）
００１３−１の収録内容検索欄（図３の３）は、００１３−４−２の
メディアファイルのタイトル、説明、出演者、ハイライト名、著作権名など
（以下、収録内容と記述）を検索するための入力欄で、検索条件の一部とする。
（００１５−４）
００１３−１の紹介文検索欄（図３の４）は、００１４−１の紹介文を
検索するための入力欄で、検索条件の一部とする。
（００１５−５）
００１３−１の検索開始機能（図３の５）は、検索開始機能の表示部分を
選択することで、００１５−１から００１５−４の検索欄で選択、あるいは入力した
検索条件を組み合わせて、００１３−４、および００１６のエンジンに対して
検索条件を送信して検索を開始する。
（００１５−６）
００１３−１の検索結果表示欄（図３の６）は、００１６−３で受信した
編集結果のカテゴリ名、サイト情報、ファイル名、収録内容、紹介文のうち、
前記のカテゴリ名を００１４−１の構造に則って、カテゴリ間の関係が
分かるように視覚的に階層化して段落を付与して展開表示する。
前記のサイト情報、ファイル名、収録内容、紹介文は、それぞれが属する
カテゴリ名の配下に表示する。
【００１６】
エンジンを説明する。
００１３−４、および００１６のエンジンは、００１６−１から００１６−３の
機能を搭載する。
（００１６−１）
検索欄カテゴリ名取得編集返信機能は、００１６−１−１から００１６−１−３の
機能がある。
（００１６−１−１）
検索欄カテゴリ名取得機能とは、００１３−１の検索欄の検索欄カテゴリ名を
表示するためにカテゴリ情報を取得する。
取得方法は、００１６−１−１−ａ、あるいは００１６−１−１−ｂの２種類が
ある。
（００１６−１−１−ａ）
００１３−３の属性ファイル、あるいは００１３−４−２のメディアファイル
からカテゴリ情報を取得し、図４−１の１に相当する。
（００１６−１−１−ｂ）
００１３−５のコンピュータのハードディスクにフォルダを設ける。
前記のフォルダは、００１４−１のカテゴリと一致し、前記のフォルダから
カテゴリ情報を取得し、図４−１の２に相当する。
（００１６−１−２）
検索欄カテゴリ名編集機能とは、００１６−１−１で取得した
検索欄カテゴリ名を、００１４−１の構造に則って、カテゴリ間の関係が
分かるように視覚的に階層化して段落を付与して展開表示する編集を行う。
（００１６−１−３）
検索欄カテゴリ名返信機能とは、００１６−１−２の編集結果を００１３−１の
ブラウザに返信し、図４−１の３に相当する。
（００１６−２）
検索機能、および編集機能の説明を、想定されるケースを交えて、００１６−２−ａ
から００１６−２−ｄに記載する。
（００１６−２−ａ）
００１３−１、および００１５のブラウザの検索欄で選択、あるいは入力した
検索条件のうち、００１５−１の検索欄カテゴリ名を選択した場合を想定する。
図４−３の１に検索機能を説明する。
前記のブラウザから受信した検索欄カテゴリ名と同じＸＭＬタグ名、あるいは
ＸＭＬタグ名属性値を、００１３−３、および００１４の属性ファイルから
検索する。
また、検索した前記の属性ファイルからサイト情報も取得する。
次に、編集機能を説明する。
００１６−２−ａの検索機能で取得したカテゴリ名を、００１４−１の構造に
則って、カテゴリ間の関係が分かるように視覚的に階層化して段落を付与して
展開表示できる編集を行う。
００１６−２−ａの検索機能で取得したサイト情報を、それぞれが属する前記の
カテゴリ名の配下に編集する。
編集したカテゴリ名、およびサイト情報に、対応するサイト情報のＵＲＬ
（アンカー）を付与して編集する。
前記のＵＲＬ自体にもアンカーを付与して編集する。
（００１６−２−ｂ）
００１３−１、および００１５のブラウザの検索欄で選択、あるいは入力した
検索条件のうち、００１５−２のメディアファイル名を入力した場合を
想定する。
検索機能を説明する。
前記のブラウザから受信したファイル名を、００１３−４−２の
メディアファイルから検索し、図４−４−１の１、あるいは
図４−４−２の１に相当する。
また、メディアファイルのＵＲＬ（ＵＲＩ）を記述しているＸＭＬタグ名、
あるいはＸＭＬタグ名属性値を検索し、図４−４−１の２、あるいは
図４−４−２の２に相当する。
また、検索したメディアファイルのカテゴリ名も検索するが、カテゴリ名の
検索方法は００１６−２−ｂ−１、あるいは００１６−２−ｂ−２である。
（００１６−２−ｂ−１）
００１３−４−２のメディアファイルのＸＭＬタグ名、あるいは
ＸＭＬタグ名属性値にカテゴリ名を記述することを前提とし、前記の
ＸＭＬタグ名、あるいはＸＭＬタグ名属性値から検索する。
前記のＸＭＬタグ名、あるいはＸＭＬタグ名属性値は、メタ情報、
あるいは変数に記述するが、ＯＳ、ＸＭＬ、あるいはメディアファイル向け
ＸＭＬの仕様に準拠して記述し、図４−４−１の３に相当する。
（００１６−２−ｂ−２）
００１３−５のコンピュータのフォルダごとに、該当する
メディアファイルを置くことを前提とし、フォルダ名をカテゴリ名として
検索し、図４−４−２の３に相当する。
００１６−２−ｂの検索機能は、メディアファイル名の部分一致検索も
可能とする。
次に、編集機能を説明する。
００１６−２−ｂの検索機能で取得したカテゴリ名を、００１４−１の構造に
則って、カテゴリ間の関係が分かるように視覚的に階層化して段落を付与して
展開表示できる編集を行う。
００１６−２−ｂの検索機能で取得したメディアファイル名を、それぞれが
属する前記のカテゴリ名の配下に編集する。
編集したメディアファイル名に、００１６−２−ｂの検索機能で取得した
ＵＲＬ、あるいはＵＲＩ（アンカー）を付与して編集する。
（００１６−２−ｃ）
００１３−１、および００１５のブラウザの検索欄で選択、あるいは入力した
検索条件のうち、００１５−３の収録内容を入力した場合を想定する。
検索機能を説明する。
前記のブラウザから受信した収録内容が含まれるＸＭＬタグ名、あるいは
ＸＭＬタグ名属性値を、００１３−４−２のメディアファイルから検索し、
検索したメディアファイルのＵＲＬ（ＵＲＩ）も取得し、図４−５−１の１、
あるいは図４−５−２の１に相当する。
尚、図４−５−１は、００１６−２−ｂ−１の方法を採用する場合の
イメージで、図４−５−２は、００１６−２−ｂ−２の方法を採用する場合の
イメージである。
前記の収録内容とは、動画ファイルの場合は、タイトル、説明、出演者、
ハイライト名、著作権名などが含まれるＸＭＬタグ名、あるいは
ＸＭＬタグ名属性値であり、音声ファイルの場合は、タイトル、説明、
出演者、ハイライト名、著作権名など、および音声内容を記述している
ＸＭＬタグ名、あるいはＸＭＬタグ名属性値である。
また、検索したメディアファイルのカテゴリ名も検索するが、検索方法は
図４−５−１の２、あるいは図４−５−２の２に該当する。
００１６−２−ｃの検索機能は、収録内容の部分一致検索も可能とする。
次に、編集機能を説明する。
００１６−２−ｃの検索機能で取得したカテゴリ名を、００１４−１の構造に
則って、カテゴリ間の関係が分かるように視覚的に階層化して段落を付与して
展開表示できる編集を行う。
００１６−２−ｃの検索機能で取得したメディアファイルの収録内容を、
それぞれが属する前記のカテゴリ名の配下に編集する。
編集したタイトルに、ＵＲＬ、あるいはＵＲＩ（アンカー）を付与して
編集する。
（００１６−２−ｄ）
００１３−１、および００１５のブラウザの検索欄で選択、あるいは入力した
検索条件のうち、００１５−４の紹介文を入力した場合を想定する。
図４−６の１に検索機能を説明する。
前記のブラウザから受信した紹介文が含まれるＸＭＬタグ名、あるいは
ＸＭＬタグ名属性値を、００１３−３、および００１４の属性ファイルから
検索する。
また、検索した属性ファイルからサイト情報も取得する。
００１６−２−ｄの検索機能は、紹介文の部分一致検索も可能とする。
次に、編集機能を説明する。
００１６−２−ｄの検索機能で取得したカテゴリ名を、００１４−１の構造に
則って、カテゴリ間の関係が分かるように視覚的に階層化して段落を付与して
展開表示できる編集を行う。
００１６−２−ｄの検索機能で取得した紹介文、およびサイト情報を、
それぞれが属するカテゴリ名の配下に編集する。
編集したカテゴリ名、およびサイト情報に、対応するサイト情報のＵＲＬ
（アンカー）を付与して編集する。
前記のＵＲＬ自体にもアンカーを付与して編集する。
００１６−２−ａから００１６−２−ｄの検索は、利用者の意図によって複数
組み合わせるケースがあるため、００１３−１、および００１５のブラウザの
検索欄で利用者が選択、あるいは入力した内容に則って組み合わせて検索する。
（００１６−３）
００１６−２−ａから００１６−２−ｄの編集結果を、００１３−１、および
００１５のブラウザに返信する。
００１６−２−ａのケースは図４−３の２に該当する。
００１６−２−ｂのケースは図４−４−１の４、あるいは図４−４−２の４に
該当する。
００１６−２−ｃのケースは図４−５−１の３、あるいは図４−５−２の３に
該当する。
００１６−２−ｄのケースは図４−６の２に該当する。
【産業上の利用可能性】
【００１７】
本発明は、世界中のインターネット利用者に対するものである。
【図面の簡単な説明】
【００１８】
【図１】システム構成図。
【図２−１】属性ファイルの構造図。
【図２−２】任意のカテゴリ名を属性ファイルに記述した場合のカテゴリ情報の記述例。
【図２−３】任意のカテゴリ関係名を属性ファイルに記述した場合のカテゴリ情報の記述例。
【図２−４】任意の属性名、および任意の属性値を属性ファイルに記述した場合のサイト情報の記述例。
【図２−５】任意の属性関係名を属性ファイルに記述した場合のサイト情報の記述例。
【図３】ブラウザの説明図である。
【図４−１】属性ファイルからカテゴリ情報を取得した場合、およびコンピュータのハードディスクのフォルダからカテゴリ情報を取得した場合の検索欄カテゴリ名取得機能の説明図。
【図４−３】検索欄カテゴリ名を選択した場合の説明図。
【図４−４−１】メディアファイル名検索の説明図。（メディアファイルからカテゴリ情報を取得した場合）
【図４−４−２】メディアファイル名検索の説明図。（コンピュータのハードディスクのフォルダからカテゴリ情報を取得した場合）
【図４−５−１】収録内容の検索説明図。（メディアファイルからカテゴリ情報を取得した場合）
【図４−５−２】収録内容の検索説明図。（コンピュータのハードディスクのフォルダからカテゴリ情報を取得した場合）
【図４−６】紹介文検索の説明図。
【符号の説明】
【００１９】
図１の１ ブラウザ。
図１の２ 属性検索コンピュータ。
図１の３ 属性ファイル。
図１の４ 属性検索エンジン。
図１の５ メディアファイル。
図１の６ 図１の２のコンピュータのハードディスクに搭載した
属性ファイル、およびメディアファイル。
図１の７ 図１の２のコンピュータとは別のコンピュータのハードディスクに
搭載した属性検索エンジン、属性ファイル、および
メディアファイル。
図２−１のａ カテゴリ情報。
図２−１のｂ サイト情報。
図３の１ 検索欄カテゴリ名。
図３の２ ファイル名検索欄。
図３の３ 収録内容検索欄。
図３の４ 紹介文検索欄。
図３の５ 検索開始機能。
図３の６ 検索結果表示欄。
図４−１の１・２ 検索欄カテゴリ名取得編集。
図４−１の３ 検索欄カテゴリ名返信。
図４−３の１ カテゴリ名、およびサイト情報検索編集。
図４−３の２ カテゴリ名、およびサイト情報編集結果返信。
図４−４−１の１ ファイル名検索編集。
図４−４−１の２ ＵＲＬ（ＵＲＩ）検索編集。
図４−４−１の３ カテゴリ名検索編集。
図４−４−１の４ 編集結果返信。
図４−４−２の１ ファイル名検索編集。
図４−４−２の２ ＵＲＬ（ＵＲＩ）検索編集。
図４−４−２の３ カテゴリ名検索編集。
図４−４−２の４ 編集結果返信。
図４−５−１の１ 収録内容、ＵＲＬ（ＵＲＩ）検索編集。
図４−５−１の２ カテゴリ名検索編集。
図４−５−１の３ 編集結果返信。
図４−５−２の１ 収録内容、ＵＲＬ（ＵＲＩ）検索編集。
図４−５−２の２ カテゴリ名検索編集。
図４−５−２の３ 編集結果返信。
図４−６の１ カテゴリ情報、およびサイト情報検索編集。
図４−６の２ 編集結果返信。
【手続補正３】
【補正対象書類名】図面
【補正対象項目名】全図
【補正方法】変更
【補正の内容】
【図１】
2007279927.tif 000023
【図２−１】
2007279927.tif 000024
【図２−２】
2007279927.tif 000025
【図２−３】
2007279927.tif 000026
【図２−４】
2007279927.tif 000027
【図２−５】
2007279927.tif 000028
【図３】
2007279927.tif 000029
【図４−１】
2007279927.tif 000030
【図４−２】
2007279927.tif 000031
【図４−３】
2007279927.tif 000032
【図４−４−１】
2007279927.tif 000033
【図４−４−２】
2007279927.tif 000034
【図４−５−１】
2007279927.tif 000035
【図４−５−２】
2007279927.tif 000036
【図４−６】
2007279927.tif 000037
【手続補正書】
【提出日】平成18年12月16日(2006.12.16)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】
本発明は、世界中のインターネット利用者（以下、利用者と記す）が対象となる。
【背景技術】
【０００２】
インターネットと検索エンジンの普及により、あらゆる内容の情報を得られるように
なった。このような検索エンジンが記載された文献としては、下記特許文献を
挙げる。
【特許文献１】特許公開２００６−３１０８４号公報
【特許文献２】特許公開２００２−１３２８０８号公報
【特許文献３】特許公開２０００−１１２９７２号公報
【発明の開示】
【発明が解決しようとする課題】
【０００３】
検索結果の視覚的な分類表示に対する課題。
インターネットと検索エンジンの普及により、あらゆる情報を得られるように
なったが、情報量が膨大であるがゆえに、情報量と比例して利用者が情報を分類する
労力は増加する。
（０００３−１）
例えば、従来の検索エンジンを利用して仮に「特許」というキーワードで
検索すると、約２６，０００，０００件のサイトが検索結果としてヒットするが、
この検索結果は、サイトのタイトルやＵＲＬや簡単なサイトの内容や
最終更新日などが、単なる検索結果のリストの一覧で表示されるため、利用者の
検索結果が、カテゴリ全体に対してどのカテゴリに分布しているか、および
分布先のカテゴリのヒット件数がどの程度であるか、視覚的にも不明である為、
利用者が閲覧を希望するカテゴリを優先的に効率よく閲覧することが困難である。
（０００３−２）
また、約２６，０００，０００件の検索結果を１ページあたり１０件単位で閲覧
する場合、２，６００，０００ページに相当する検索結果を閲覧しなければならず、
現実として全てを閲覧することは困難であり、２６，０００，０００件の
検索結果のうち、半分以上の検索結果を閲覧せずに終わっているのが現状であろう。
一方、別の検索エンジンでは、検索結果としてカテゴリも表示されるが、
カテゴリ全体のどのカテゴリに分布するかという全体を表示するものではなく、
単なる検索結果のリストの一覧の形式で表示されるため、利用者の検索結果が、
カテゴリ全体に対してどのカテゴリに分布しているか、および分布先のカテゴリの
ヒット件数が不明である。
（０００３−３）
このように、従来の検索エンジンは、情報をカテゴリで分類しているにも関わらず、
検索結果を視覚的にカテゴリで分類せず、単なる検索結果のリストの一覧で表示して
いるため、検索結果のリストの一覧と、時には利用者の勘を頼りにサイトを
閲覧せざるを得ないという不便が残る。
つまり、検索結果の分類作業の負担は利用者に課せられている。
【０００４】
検索キーワードの柔軟性に対する課題。
インターネットで情報を検索する場合、キーワードを対象にして検索されるが、
前記のキーワードはＨＴＭＬファイルに単語の羅列でのみ記述しなければならず、
また、記述できるキーワードの数にも上限があり、利用者が本来希望している
検索結果を取得できない場合がある。
例えば、従来の検索エンジンで検索結果を絞り込みたい場合は、検索条件入力欄で
複数のキーワードを区切って検索ができるが、このような検索は、検索対象となる
ＨＴＭＬファイルのキーワードと一致するかをチェックする為、利用者が閲覧したい
サイトが存在したとしても、前記のファイルのキーワードと一致しない限り、
利用者が当該サイトを閲覧することはできない。皮肉にも検索するための
キーワードが、閲覧を希望するサイトの検索を妨げている場合がある。
【０００５】
メディアファイルの検索機能に対する課題。
インターネットで情報を検索する場合、サイトだけではなく、音声ファイルや
動画ファイル（以下、メディアファイルと記す）を検索する事があるが、その際、
前記のメディアファイルを検索する条件が少ない為、利用者が本来希望している
検索結果を取得できない場合がある。
例えば、従来の検索エンジンも、前記のメディアファイルの検索を可能とするが、
前記のメディアファイルの検索条件には、前記のメディアファイルの保存形式による
検索や、前記のメディアファイルのサイズによる検索など、前記のメディアファイルの
外見特徴を主とした検索であるが、前記の外見特徴はメディアファイルを検索した
結果で判明する情報であり、利用者が前記のメディアファイルを検索する時点では、
前記の外見特徴はほとんどの場合は不明である。
本来、利用者が前記のメディアファイルを検索する場合の条件は、外見特徴よりも
前記のメディアファイルのタイトル、出演者名、ハイライト名、説明、あるいは
著作権名などを推測して検索条件とする方が自然であり、かつ利用しやすい。
今後もさらに科学技術が発展する過程で、情報伝達媒体も比例して発展すると
思われ、従来のテキストデータによる情報伝達媒体もさることながら、
テキストデータでは表現できない情報伝達媒体については、前記のメディアファイルの
必要性が高まると推測する。
前記のメディアファイルの新たな検索手段を講じる必要がある。
【課題を解決するための手段】
【０００６】
課題を解決するための全体の構成を説明する。
（０００６−１）
インターネットに接続した利用者のコンピュータや携帯電話に搭載した
ブラウザ（以下、ブラウザと記す）に検索欄と検索結果表示欄を設け、
検索欄は、検索欄カテゴリ名、ファイル名検索欄、紹介文検索欄、および
検索開始機能を搭載し、検索結果表示欄は、０００６−４−４の編集結果を表示する
機能を搭載する。
（０００６−２）
インターネットに接続した属性検索コンピュータ（以下、コンピュータと記す）
を設置する。
（０００６−３）
インターネットに公開済み、あるいは今後公開するサイトを分類した
カテゴリ情報、およびサイト情報を、ＸＭＬ形式で記述した属性ファイル。
（０００６−４）
０００６−４−１から０００６−４−４の機能を搭載した属性検索エンジン
（以下、エンジンと記す）。
（０００６−４−１）
０００６−１のブラウザの検索欄に表示するための検索欄カテゴリ名を取得、
編集、および返信する検索欄カテゴリ名取得編集返信機能。
（０００６−４−２）
０００６−１のブラウザの検索欄で選択、あるいは入力した検索条件を基に、
０００６−３の属性ファイル、およびＸＭＬ形式で作成した音声ファイルと
動画ファイル（以下、メディアファイルと記す）を検索する検索機能。
（０００６−４−３）
０００６−４−２の検索結果を０００６−１のブラウザの検索結果表示欄に
カテゴリ名別に表示するために編集する編集機能。
（０００６−４−４）
０００６−４−３の編集結果を０００６−１のブラウザに返信する返信機能。
（０００６−５）
０００６−３の属性ファイル、あるいは０００６−４−２のメディアファイル、
あるいは０００６−４のエンジンは、０００６−５−ａ、あるいは
０００６−５−ｂの２種類の構成とする。
（０００６−５−ａ）
０００６−２のコンピュータのハードディスクに搭載。
（０００６−５−ｂ）
０００６−２のコンピュータとは別のコンピュータのハードディスクに搭載。
【０００７】
０００３、および０００４の課題を解決するために、０００６−３の手段を
説明する。
（０００７−１）
０００６−３の属性ファイルに記述するサイトの分類と構造は、
上位分類・中位分類・下位分類（以下、カテゴリと記す）に分類し、
下位分類の配下は属性名に分類し、属性名には属性値を設定して、
０００６−３の属性ファイルの構造（以下、構造と記す）とする。
前記の属性名は、サイトのタイトル、サイトのＵＲＬ、サイトの紹介文
（以下、紹介文と記す）とする。
前記のカテゴリをカテゴリ情報とし、前記の属性名、および属性値をサイト情報と
する。
（０００７−２）
０００６−３の属性ファイルに記述するカテゴリ情報、およびサイト情報は、
０００７−１の構造に則って、０００７−２−１、および０００７−２−２の
内容とする。
（０００７−２−１）
０００７−１のカテゴリ情報は、０００７−２−１−ａ、あるいは
０００７−２−１−ｂの２種類がある。
（０００７−２−１−ａ）
任意のカテゴリ名を属性ファイルに記述。
（０００７−２−１−ｂ）
任意のカテゴリ関係名、および０００７−２−１−ａのカテゴリ名を
属性ファイルに記述。
（０００７−２−２）
０００７−１のサイト情報は、０００７−２−２−ａ、あるいは
０００７−２−２−ｂの２種類がある。
（０００７−２−２−ａ）
任意の属性名、および任意の属性値を属性ファイルに記述。
（０００７−２−２−ｂ）
任意の属性関係名、および任意の属性値を属性ファイルに記述。
【０００８】
０００３から０００５の課題を解決するために、０００６−１の手段を説明する。
０００６−１のブラウザの検索欄は、０００８−１から０００８−５の機能で実現し、
０００６−１のブラウザの検索結果表示欄は、０００８−６の機能で実現する。
（０００８−１）
０００６−１のブラウザの検索欄カテゴリ名は、０００９−１で取得した
カテゴリ名を、０００７−１の構造に則って、カテゴリ間の関係が分かるように
視覚的に階層化して段落を付与して表示する。
利用者が、前記の検索欄カテゴリ名の中から、任意にカテゴリ名を選択することで
検索対象カテゴリとし、検索条件の一部とする。
（０００８−２）
０００６−１のファイル名検索欄は、０００６−４−２のメディアファイル名を
検索するための入力欄で、検索条件の一部とする。
（０００８−３）
０００６−１の収録内容検索欄は、０００６−４−２のメディアファイルの
メディアファイルの収録内容を検索するための入力欄で、検索条件の一部とする。
前記の収録内容とは、動画ファイルの場合はメタ情報であり、音声ファイルの場合は
メタ情報、および音声を記述している箇所である。
前記のメタ情報は、ファイルのタイトル、説明、出演者、ハイライト名、
著作権名など、つまり前記のメディアファイルの構造のうち、動画自体を宣言
している箇所以外の動画ファイルの説明を記述する箇所であり、
メディアファイル向けＸＭＬのタグ名、あるいはタグ名に対する属性値である。
（０００８−４）
０００６−１の紹介文検索欄は、０００７−１の紹介文を検索するための入力欄で、
検索条件の一部とする。
（０００８−５）
０００６−１の検索開始機能は、検索開始機能の表示部分を選択することで、
０００８−１から０００８−４の検索欄で選択、あるいは入力した検索条件を
組み合わせて、０００６−４、および０００９のエンジンに対して検索条件を
送信して検索を開始する。
（０００８−６）
０００６−１の検索結果表示欄は、０００９−４で受信した編集結果のカテゴリ名、
サイト情報、ファイル名、収録内容、紹介文のうち、前記のカテゴリ名を
０００７−１の構造に則って、カテゴリ間の関係が分かるように視覚的に階層化して
段落を付与して展開表示する。
前記のサイト情報、ファイル名、収録内容、紹介文は、それぞれが属する
カテゴリ名の配下に表示する。
【０００９】
０００３から０００５の課題を解決するために、０００６−４の手段を説明する。
０００６−４、および０００９のエンジンは、０００９−１から０００９−４の
機能を搭載する。
（０００９−１）
検索欄カテゴリ名取得編集返信機能は、０００９−１−１から０００９−１−３の
機能がある。
（０００９−１−１）
０００６−１の検索欄の検索欄カテゴリ名を表示するためにカテゴリ情報を
取得する検索欄カテゴリ名取得機能。
取得方法は、０００９−１−１−ａ、あるいは０００９−１−１−ｂの２種類が
ある。
（０００９−１−１−ａ）
０００６−３の属性ファイルからカテゴリ情報を取得。
（０００９−１−１−ｂ）
０００６−５のコンピュータのハードディスクにフォルダを設ける。
前記のフォルダは、０００７−１のカテゴリと一致し、前記のフォルダから
カテゴリ情報を取得。
（０００９−１−２）
０００９−１−１で取得した検索欄カテゴリ名を、０００７−１の構造に
則って、カテゴリ間の関係が分かるように視覚的に階層化して段落を付与して
展開表示する編集を行う検索欄カテゴリ名編集機能。
（０００９−１−３）
０００９−１−２の編集結果を０００６−１のブラウザに返信する
検索欄カテゴリ名返信機能。
（０００９−２）
０００６−１、および０００８のブラウザの検索欄で指定した検索条件を基に、
０００６−３、および０００７の属性ファイルと、０００６−４−２の
メディアファイルを検索するための検索機能。
（０００９−３）
０００９−２の検索結果のカテゴリ名、サイト情報、ファイル名、収録内容、
紹介文のうち、前記のカテゴリ名を０００７−１の構造に則って、
カテゴリ間の関係が分かるように視覚的に階層化して段落を付与して展開表示
するために編集する。
前記のサイト情報、ファイル名、収録内容、紹介文は、それぞれが属する
カテゴリ名の配下に編集する編集機能。
（０００９−４）
０００９−３の編集結果を、０００６−１、および０００８のブラウザに返信する
返信機能。
【発明の効果】
【００１０】
０００６−１、０００６−３、および０００６−４の手段で、以下の効果がある。
検索結果の視覚的な分類表示による操作性向上、分類労力の軽減、および
検索キーワードの柔軟性向上による検索条件の用途拡大。
（００１０−１）
この発明では、検索条件と検索結果をカテゴリで分類し、ひとつのブラウザの
検索欄と検索結果表示欄にそれぞれカテゴリ別に視覚的に階層化して段落を付与して
一度に表示して使用できる。
検索する場合においては、利用者は、それぞれカテゴリ別に分類され視覚的に
階層化して段落を付与した検索欄の中から、検索対象とするカテゴリを選択
するだけで検索対象カテゴリとして指定できる。
（００１０−２）
また、前記のカテゴリだけではなく、メディアファイルを検索する条件を設け、
ひとつは、前記のメディアファイル名を検索するファイル名検索欄と
一方は、前記のメディアファイルのタイトル、説明、出演者、ハイライト名、
著作権名などを検索する収録内容検索欄である。
利用者は、前記のメディアファイル名、あるいはメディアファイルのタイトル、
説明、出演者、ハイライト名、著作権名などを推測して検索できる。
前記のファイル名検索、および収録内容検索は、ＯＳ、ＸＭＬ、あるいは
メディアファイル向けＸＭＬが準拠する禁則文字以外は無限に指定できる。
（００１０−３）
さらに、サイト検索の場合に、ＨＴＭＬファイルのキーワードだけに頼らず、
紹介文を設けて紹介文に記述する文章の検索も実現する紹介文検索欄である。
文章による検索が可能になることで、従来のキーワードの組み合わせを考慮しながら
サイトの検索を行う必要がないため、利用者が自由に検索条件を利用できる。
０００４にも説明しているが、ＨＴＭＬファイルのキーワードの用途には有限性が
あるが、紹介文の用途はＯＳ、ＸＭＬ、あるいはメディアファイル向けＸＭＬが
準拠する禁則文字を除いては無限である。
（００１０−４）
００１０−２のファイル名検索欄、および収録内容検索欄、および００１０−３の
紹介文検索欄は、それぞれ００１０−１のカテゴリ別に組み合わせて検索することが
可能である。
つまり、カテゴリ数×３（前記の検索欄３箇所）の検索条件の組み合わせを一度で
指定できる。
（００１０−５）
一方、００１０−１の検索結果表示欄も、それぞれカテゴリ別に視覚的に
階層化して段落を付与して一度に表示するため、容易にカテゴリを選択してサイトを
閲覧できる。
例えば、従来の検索エンジンを利用して仮に「特許」というキーワードで
検索すると、約２６，０００，０００件のサイトが検索結果としてヒットし、
約２６，０００，０００件の検索結果を１ページあたり１０件単位で閲覧する場合、
２，６００，０００ページに相当する検索結果を閲覧する必要があるが、
この発明では、検索結果表示欄にそれぞれカテゴリ別に視覚的に階層化して段落を
付与して一度（１ページ）に表示して使用できる。
つまり、カテゴリの全体に対する検索結果のカテゴリの分布、および分布先の
カテゴリのヒット件数が視覚的にも明確である為、利用者が閲覧を希望する
カテゴリを優先的に効率よく閲覧することが可能である。
【００１１】
（００１１−１）
０００６−３、および０００６−４の手段で、以下の効果が挙げられる。
検索キーワードの柔軟性向上による検索条件の用途拡大、および利用者への
検索利便性の向上。
この発明では、ＸＭＬ形式で作成した属性ファイルを採用し、前記の属性ファイルに
サイトを紹介する紹介文を記述する。
サイトを検索する場合には、利用者が検索条件として入力した紹介文が、
どの属性ファイルの紹介文に含まれるかを検索する。
ＨＴＭＬファイルに記述するキーワードは単語の羅列のみの制約があるが、
前記の紹介文は、ＯＳ、ＸＭＬ、あるいはメディアファイルＸＭＬが準拠する
禁則文字以外は制約がないため、自由に紹介文を記述できる。
（００１１−２）
また、利用者も、文章による検索が可能になることで、従来のキーワードの
組み合わせを考慮しながらサイトの検索を行う必要がないため、利用者が自由に
検索条件を利用できる。
【００１２】
（００１２−１）
０００６−１、０００６−３、および０００６−４の手段で、以下の効果が
挙げられる。
メディアファイルの検索機能の充実。
利用者が前記のメディアファイルを検索する条件も多種多様に用意した。
例として、歌詞の一部しか分からない音声ファイルを検索するケースや、
ある出来事のハイライトを収録した動画ファイルを検索するケースなど多数
考えられ、出来事の名称、開催名、推測できるハイライト名、出演者、あるいは
著作権名など多数である。
この発明では、前記のメディアファイルの名称を検索するファイル名検索欄と、
前記のメディアファイルの収録内容を検索する収録内容検索欄を備えている。
前記のファイル名検索欄は、検索したいメディアファイルのファイル名を入力し
検索できる。
前記の収録内容検索欄は、検索したいメディアファイルのタイトル、説明、
出演者、ハイライト名、著作権名などを入力し検索できる。
前記のファイル名検索、および前記の収録内容検索の検索条件は、ＯＳ、ＸＭＬ、
あるいはメディアファイル向けＸＭＬが準拠する禁則文字以外は無限である。
前記のメディアファイルに利用者が検索しやすい詳細な文言を記述することで
さらに検索しやすくなる。
（００１２−２）
今後もさらに科学技術が発展する過程で、情報伝達媒体も比例して発展すると
思われ、従来のテキストデータによる情報伝達媒体もさることながら、
テキストデータでは表現できない情報伝達媒体については、前記の
メディアファイルの必要性が高まると推測する。
この発明では、前記のメディアファイルの新たな検索手段を提供する。
【発明を実施するための最良の形態】
【００１３】
図１にシステムの構成を説明する。
（００１３−１）
インターネットに接続した利用者のコンピュータや携帯電話に搭載した
ブラウザ（以下、ブラウザと記す）に検索欄と検索結果表示欄を設け、
検索欄は、検索欄カテゴリ名、ファイル名検索欄、紹介文検索欄、および
検索開始機能を搭載し、検索結果表示欄は、００１３−４−４の編集結果を表示する
機能を搭載する。前記のブラウザは、図１の１に相当する。
（００１３−２）
インターネットに接続した属性検索コンピュータ（以下、コンピュータと記す）
を設置し、図１の２に相当する。
（００１３−３）
インターネットに公開済み、あるいは今後公開するサイトを分類したカテゴリ情報、
およびサイト情報を、ＸＭＬ形式で記述した属性ファイル。
前記の属性ファイルは、図１の３に相当する。
（００１３−４）
００１３−４−１から００１３−４−３の機能を搭載した属性検索エンジン
（以下、エンジンと記す）で、図１の４に相当する。
（００１３−４−１）
００１３−１のブラウザの検索欄に表示するための検索欄カテゴリ名を取得、
編集、および返信する検索欄カテゴリ名取得編集返信機能。
（００１３−４−２）
００１３−１のブラウザの検索欄で選択、あるいは入力した検索条件を基に、
００１３−３の属性ファイル、およびＸＭＬ形式で作成した音声ファイルと
動画ファイル（以下、メディアファイルと記す）を検索する検索機能。
前記のメディアファイルは、図１の５に相当する。
（００１３−４−３）
００１３−４−２の検索結果を００１３−１のブラウザの検索結果表示欄に
カテゴリ名別に表示するために編集する編集機能。
（００１３−４−４）
００１３−４−３の編集結果を００１３−１のブラウザに返信する返信機能。
（００１３−５）
００１３−３の属性ファイル、あるいは００１３−４−２のメディアファイル、
あるいは００１３−４のエンジンは、００１３−５−ａ、あるいは
００１３−５−ｂの２種類の構成とする。
（００１３−５−ａ）
００１３−２のコンピュータのハードディスクに搭載し、図１の６に相当する。
（００１３−５−ｂ）
００１３−２のコンピュータとは別のコンピュータのハードディスクに搭載し、
図１の７に相当する。
【００１４】
属性ファイルを説明する。
（００１４−１）
図２−１のように、
００１３−３の属性ファイルに記述するサイトの分類と構造は、
上位分類・中位分類・下位分類（以下、カテゴリと記す）に分類し、
下位分類の配下は属性名に分類し、属性名には属性値を設定して、
００１３−３の属性ファイルの構造（以下、構造と記す）とする。
前記の属性名は、サイトのタイトル、サイトのＵＲＬ、サイトの紹介文
（以下、紹介文と記す）とする。
前記のカテゴリをカテゴリ情報（図２−１のａ）とし、前記の属性名、および
属性値をサイト情報（図２−１のｂ）とする。
（００１４−２）
００１３−３の属性ファイルに記述するカテゴリ情報、およびサイト情報は、
００１４−１の構造に則って、００１４−２−１、および００１４−２−２の
内容とする。
（００１４−２−１）
００１４−１のカテゴリ情報は、００１４−２−１−ａ、あるいは
００１４−２−１−ｂの２種類がある。
（００１４−２−１−ａ）
任意のカテゴリ名を属性ファイルに記述し、図２−２に相当する。
（００１４−２−１−ｂ）
任意のカテゴリ関係名、および００１４−２−１−ａのカテゴリ名を
属性ファイルに記述し、図２−３に相当する。
（００１４−２−２）
００１４−１のサイト情報は、００１４−２−２−ａ、あるいは
００１４−２−２−ｂの２種類がある。
（００１４−２−２−ａ）
任意の属性名、および任意の属性値を属性ファイルに記述し、図２−４に
相当する。
（００１４−２−２−ｂ）
任意の属性関係名、および任意の属性値を属性ファイルに記述し、
図２−５に相当する。
【００１５】
ブラウザを説明する。
００１３−１のブラウザの検索欄は、００１５−１から００１５−５の機能で実現し、
００１３−１のブラウザの検索結果表示欄は、００１５−６の機能で実現する。
（００１５−１）
００１３−１のブラウザの検索欄カテゴリ名（図３の１）は、００１６−１で
取得したカテゴリ名を、００１４−１の構造に則って、カテゴリ間の関係が
分かるように視覚的に階層化して段落を付与して表示する。
利用者が、前記の検索欄カテゴリ名の中から、任意にカテゴリ名を選択することで
検索対象カテゴリとし、検索条件の一部とする。
（００１５−２）
００１３−１のファイル名検索欄（図３の２）は、００１３−４−２の
メディアファイル名を検索するための入力欄で、検索条件の一部とする。
入力内容は、００１３−５のコンピュータのＯＳ、ＸＭＬ、あるいは
メディアファイル向けＸＭＬが準拠する禁則文字以外が使用可能であり、
００１５−３、００１５−４の入力内容も同様である。
（００１５−３）
００１３−１の収録内容検索欄（図３の３）は、００１３−４−２の
メディアファイルのタイトル、説明、出演者、ハイライト名、著作権名など
（以下、収録内容と記述）を検索するための入力欄で、検索条件の一部とする。
（００１５−４）
００１３−１の紹介文検索欄（図３の４）は、００１４−１の紹介文を
検索するための入力欄で、検索条件の一部とする。
（００１５−５）
００１３−１の検索開始機能（図３の５）は、検索開始機能の表示部分を
選択することで、００１５−１から００１５−４の検索欄で選択、あるいは入力した
検索条件を組み合わせて、００１３−４、および００１６のエンジンに対して
検索条件を送信して検索を開始する。
（００１５−６）
００１３−１の検索結果表示欄（図３の６）は、００１６−３で受信した
編集結果のカテゴリ名、サイト情報、ファイル名、収録内容、紹介文のうち、
前記のカテゴリ名を００１４−１の構造に則って、カテゴリ間の関係が
分かるように視覚的に階層化して段落を付与して展開表示する。
前記のサイト情報、ファイル名、収録内容、紹介文は、それぞれが属する
カテゴリ名の配下に表示する。
【００１６】
エンジンを説明する。
００１３−４、および００１６のエンジンは、００１６−１から００１６−３の
機能を搭載する。
（００１６−１）
検索欄カテゴリ名取得編集返信機能は、００１６−１−１から００１６−１−３の
機能がある。
（００１６−１−１）
検索欄カテゴリ名取得機能とは、００１３−１の検索欄の検索欄カテゴリ名を
表示するためにカテゴリ情報を取得する。
取得方法は、００１６−１−１−ａ、あるいは００１６−１−１−ｂの２種類が
ある。
（００１６−１−１−ａ）
００１３−３の属性ファイル、あるいは００１３−４−２のメディアファイル
からカテゴリ情報を取得し、図４−１の１に相当する。
（００１６−１−１−ｂ）
００１３−５のコンピュータのハードディスクにフォルダを設ける。
前記のフォルダは、００１４−１のカテゴリと一致し、前記のフォルダから
カテゴリ情報を取得し、図４−１の２に相当する。
（００１６−１−２）
検索欄カテゴリ名編集機能とは、００１６−１−１で取得した
検索欄カテゴリ名を、００１４−１の構造に則って、カテゴリ間の関係が
分かるように視覚的に階層化して段落を付与して展開表示する編集を行う。
（００１６−１−３）
検索欄カテゴリ名返信機能とは、００１６−１−２の編集結果を００１３−１の
ブラウザに返信し、図４−１の３に相当する。
（００１６−２）
検索機能、および編集機能の説明を、想定されるケースを交えて、００１６−２−ａ
から００１６−２−ｄに記載する。
（００１６−２−ａ）
００１３−１、および００１５のブラウザの検索欄で選択、あるいは入力した
検索条件のうち、００１５−１の検索欄カテゴリ名を選択した場合を想定する。
図４−３の１に検索機能を説明する。
前記のブラウザから受信した検索欄カテゴリ名と同じＸＭＬタグ名、あるいは
ＸＭＬタグ名属性値を、００１３−３、および００１４の属性ファイルから
検索する。
また、検索した前記の属性ファイルからサイト情報も取得する。
次に、編集機能を説明する。
００１６−２−ａの検索機能で取得したカテゴリ名を、００１４−１の構造に
則って、カテゴリ間の関係が分かるように視覚的に階層化して段落を付与して
展開表示できる編集を行う。
００１６−２−ａの検索機能で取得したサイト情報を、それぞれが属する前記の
カテゴリ名の配下に編集する。
編集したカテゴリ名、およびサイト情報に、対応するサイト情報のＵＲＬ
（アンカー）を付与して編集する。
前記のＵＲＬ自体にもアンカーを付与して編集する。
（００１６−２−ｂ）
００１３−１、および００１５のブラウザの検索欄で選択、あるいは入力した
検索条件のうち、００１５−２のメディアファイル名を入力した場合を
想定する。
検索機能を説明する。
前記のブラウザから受信したファイル名を、００１３−４−２の
メディアファイルから検索し、図４−４−１の１、あるいは
図４−４−２の１に相当する。
また、メディアファイルのＵＲＬ（ＵＲＩ）を記述しているＸＭＬタグ名、
あるいはＸＭＬタグ名属性値を検索し、図４−４−１の２、あるいは
図４−４−２の２に相当する。
また、検索したメディアファイルのカテゴリ名も検索するが、カテゴリ名の
検索方法は００１６−２−ｂ−１、あるいは００１６−２−ｂ−２である。
（００１６−２−ｂ−１）
００１３−４−２のメディアファイルのＸＭＬタグ名、あるいは
ＸＭＬタグ名属性値にカテゴリ名を記述することを前提とし、前記の
ＸＭＬタグ名、あるいはＸＭＬタグ名属性値から検索する。
前記のＸＭＬタグ名、あるいはＸＭＬタグ名属性値は、メタ情報、
あるいは変数に記述するが、ＯＳ、ＸＭＬ、あるいはメディアファイル向け
ＸＭＬの仕様に準拠して記述し、図４−４−１の３に相当する。
（００１６−２−ｂ−２）
００１３−５のコンピュータのフォルダごとに、該当する
メディアファイルを置くことを前提とし、フォルダ名をカテゴリ名として
検索し、図４−４−２の３に相当する。
００１６−２−ｂの検索機能は、メディアファイル名の部分一致検索も
可能とする。
次に、編集機能を説明する。
００１６−２−ｂの検索機能で取得したカテゴリ名を、００１４−１の構造に
則って、カテゴリ間の関係が分かるように視覚的に階層化して段落を付与して
展開表示できる編集を行う。
００１６−２−ｂの検索機能で取得したメディアファイル名を、それぞれが
属する前記のカテゴリ名の配下に編集する。
編集したメディアファイル名に、００１６−２−ｂの検索機能で取得した
ＵＲＬ、あるいはＵＲＩ（アンカー）を付与して編集する。
（００１６−２−ｃ）
００１３−１、および００１５のブラウザの検索欄で選択、あるいは入力した
検索条件のうち、００１５−３の収録内容を入力した場合を想定する。
検索機能を説明する。
前記のブラウザから受信した収録内容が含まれるＸＭＬタグ名、あるいは
ＸＭＬタグ名属性値を、００１３−４−２のメディアファイルから検索し、
検索したメディアファイルのＵＲＬ（ＵＲＩ）も取得し、図４−５−１の１、
あるいは図４−５−２の１に相当する。
尚、図４−５−１は、００１６−２−ｂ−１の方法を採用する場合の
イメージで、図４−５−２は、００１６−２−ｂ−２の方法を採用する場合の
イメージである。
前記の収録内容とは、動画ファイルの場合は、タイトル、説明、出演者、
ハイライト名、著作権名などが含まれるＸＭＬタグ名、あるいは
ＸＭＬタグ名属性値であり、音声ファイルの場合は、タイトル、説明、
出演者、ハイライト名、著作権名など、および音声内容を記述している
ＸＭＬタグ名、あるいはＸＭＬタグ名属性値である。
また、検索したメディアファイルのカテゴリ名も検索するが、検索方法は
図４−５−１の２、あるいは図４−５−２の２に該当する。
００１６−２−ｃの検索機能は、収録内容の部分一致検索も可能とする。
次に、編集機能を説明する。
００１６−２−ｃの検索機能で取得したカテゴリ名を、００１４−１の構造に
則って、カテゴリ間の関係が分かるように視覚的に階層化して段落を付与して
展開表示できる編集を行う。
００１６−２−ｃの検索機能で取得したメディアファイルの収録内容を、
それぞれが属する前記のカテゴリ名の配下に編集する。
編集したタイトルに、ＵＲＬ、あるいはＵＲＩ（アンカー）を付与して
編集する。
（００１６−２−ｄ）
００１３−１、および００１５のブラウザの検索欄で選択、あるいは入力した
検索条件のうち、００１５−４の紹介文を入力した場合を想定する。
図４−６の１に検索機能を説明する。
前記のブラウザから受信した紹介文が含まれるＸＭＬタグ名、あるいは
ＸＭＬタグ名属性値を、００１３−３、および００１４の属性ファイルから
検索する。
また、検索した属性ファイルからサイト情報も取得する。
００１６−２−ｄの検索機能は、紹介文の部分一致検索も可能とする。
次に、編集機能を説明する。
００１６−２−ｄの検索機能で取得したカテゴリ名を、００１４−１の構造に
則って、カテゴリ間の関係が分かるように視覚的に階層化して段落を付与して
展開表示できる編集を行う。
００１６−２−ｄの検索機能で取得した紹介文、およびサイト情報を、
それぞれが属するカテゴリ名の配下に編集する。
編集したカテゴリ名、およびサイト情報に、対応するサイト情報のＵＲＬ
（アンカー）を付与して編集する。
前記のＵＲＬ自体にもアンカーを付与して編集する。
００１６−２−ａから００１６−２−ｄの検索は、利用者の意図によって複数
組み合わせるケースがあるため、００１３−１、および００１５のブラウザの
検索欄で利用者が選択、あるいは入力した内容に則って組み合わせて検索する。
（００１６−３）
００１６−２−ａから００１６−２−ｄの編集結果を、００１３−１、および
００１５のブラウザに返信する。
００１６−２−ａのケースは図４−３の２に該当する。
００１６−２−ｂのケースは図４−４−１の４、あるいは図４−４−２の４に
該当する。
００１６−２−ｃのケースは図４−５−１の３、あるいは図４−５−２の３に
該当する。
００１６−２−ｄのケースは図４−６の２に該当する。
【産業上の利用可能性】
【００１７】
本発明は、世界中のインターネット利用者に対するものである。
【図面の簡単な説明】
【００１８】
【図１】システム構成図。
【図２−１】属性ファイルの構造図。
【図２−２】任意のカテゴリ名を属性ファイルに記述した場合のカテゴリ情報の記述例。
【図２−３】任意のカテゴリ関係名を属性ファイルに記述した場合のカテゴリ情報の記述例。
【図２−４】任意の属性名、および任意の属性値を属性ファイルに記述した場合のサイト情報の記述例。
【図２−５】任意の属性関係名を属性ファイルに記述した場合のサイト情報の記述例。
【図３】ブラウザの説明図である。
【図４−１】属性ファイルからカテゴリ情報を取得した場合、およびコンピュータのハードディスクのフォルダからカテゴリ情報を取得した場合の検索欄カテゴリ名取得機能の説明図。
【図４−２】コンピュータのハードディスクのフォルダからカテゴリ情報を取得した場合の検索欄カテゴリ名取得機能の説明図。
【図４−３】検索欄カテゴリ名を選択した場合の説明図。
【図４−４−１】メディアファイル名検索の説明図。（メディアファイルからカテゴリ情報を取得した場合）
【図４−４−２】メディアファイル名検索の説明図。（コンピュータのハードディスクのフォルダからカテゴリ情報を取得した場合）
【図４−５−１】収録内容の検索説明図。（メディアファイルからカテゴリ情報を取得した場合）
【図４−５−２】収録内容の検索説明図。（コンピュータのハードディスクのフォルダからカテゴリ情報を取得した場合）
【図４−６】紹介文検索の説明図。
【符号の説明】
【００１９】
図１の１ ブラウザ。
図１の２ 属性検索コンピュータ。
図１の３ 属性ファイル。
図１の４ 属性検索エンジン。
図１の５ メディアファイル。
図１の６ 図１の２のコンピュータのハードディスクに搭載した
属性ファイル、およびメディアファイル。
図１の７ 図１の２のコンピュータとは別のコンピュータのハードディスクに
搭載した属性検索エンジン、属性ファイル、および
メディアファイル。
図２−１のａ カテゴリ情報。
図２−１のｂ サイト情報。
図３の１ 検索欄カテゴリ名。
図３の２ ファイル名検索欄。
図３の３ 収録内容検索欄。
図３の４ 紹介文検索欄。
図３の５ 検索開始機能。
図３の６ 検索結果表示欄。
図４−１の１・２ 検索欄カテゴリ名取得編集。
図４−１の３ 検索欄カテゴリ名返信。
図４−３の１ カテゴリ名、およびサイト情報検索編集。
図４−３の２ カテゴリ名、およびサイト情報編集結果返信。
図４−４−１の１ ファイル名検索編集。
図４−４−１の２ ＵＲＬ（ＵＲＩ）検索編集。
図４−４−１の３ カテゴリ名検索編集。
図４−４−１の４ 編集結果返信。
図４−４−２の１ ファイル名検索編集。
図４−４−２の２ ＵＲＬ（ＵＲＩ）検索編集。
図４−４−２の３ カテゴリ名検索編集。
図４−４−２の４ 編集結果返信。
図４−５−１の１ 収録内容、ＵＲＬ（ＵＲＩ）検索編集。
図４−５−１の２ カテゴリ名検索編集。
図４−５−１の３ 編集結果返信。
図４−５−２の１ 収録内容、ＵＲＬ（ＵＲＩ）検索編集。
図４−５−２の２ カテゴリ名検索編集。
図４−５−２の３ 編集結果返信。
図４−６の１ カテゴリ情報、およびサイト情報検索編集。
図４−６の２ 編集結果返信。
【手続補正書】
【提出日】平成19年4月21日(2007.4.21)
【手続補正１】
【補正対象書類名】特許請求の範囲
【補正対象項目名】全文
【補正方法】変更
【補正の内容】
【特許請求の範囲】
【請求項１】
１−１から１−５の全体構成である請求項１の属性検索システム。
（１−１）
インターネットに接続した利用者のコンピュータや携帯電話に搭載した
ブラウザ（以下、ブラウザと記す）に検索欄と検索結果表示欄を設け、
検索欄は、検索欄カテゴリ名、ファイル名検索欄、紹介文検索欄、および
検索開始機能を搭載。
（１−２）
インターネットに接続した属性検索コンピュータ
（以下、コンピュータと記す）を設置。
（１−３）
インターネットに公開済み、あるいは今後公開するサイトを分類した
カテゴリ情報、およびサイト情報を、ＸＭＬ形式で記述した属性ファイル。
（１−５）
１−３の属性ファイル、あるいはメディアファイルは、１−５−ａ、
あるいは１−５−ｂの２種類の構成とする。
（１−５−ａ）
１−２のコンピュータのハードディスクに搭載。
（１−５−ｂ）
１−２のコンピュータとは別のコンピュータのハードディスクに搭載。
【請求項２】
請求項１の１−３の属性ファイルは、２−１、および２−２の内容とする請求項１の
属性検索システム。
（２−１）
請求項１の１−３の属性ファイルに記述するサイトの分類と構造は、
上位分類・中位分類・下位分類（以下、カテゴリと記す）に分類し、
下位分類の配下は属性名に分類し、属性名には属性値を設定して、
請求項１の１−３の属性ファイルの構造（以下、構造と記す）とする。
前記の属性名は、サイトのタイトル、サイトのＵＲＬ、サイトの紹介文
（以下、紹介文と記す）とする。
前記のカテゴリをカテゴリ情報とし、前記の属性名、および属性値を
サイト情報とする。
（２−２）
請求項１の１−３の属性ファイルに記述するカテゴリ情報、およびサイト情報は、
２−１の構造に則って、２−２−１、および２−２−２の内容とする。
（２−２−１）
２−１のカテゴリ情報は、２−２−１−ａ、あるいは２−２−１−ｂの
２種類がある。
（２−２−１−ａ）
任意のカテゴリ名を属性ファイルに記述。
（２−２−１−ｂ）
任意のカテゴリ関係名、および２−２−１−ａのカテゴリ名を
属性ファイルに記述。
（２−２−２）
２−１のサイト情報は、２−２−２−ａ、あるいは２−２−２−ｂの
２種類がある。
（２−２−２−ａ）
任意の属性名、および任意の属性値を属性ファイルに記述。
（２−２−２−ｂ）
任意の属性関係名、および任意の属性値を属性ファイルに記述。
【請求項３】
請求項１の１−１のブラウザの検索欄は、３−１から３−５の機能を搭載し、
請求項１の１−１のブラウザの検索結果表示欄は、３−６の機能を搭載する
請求項１の属性検索システム。
（３−１）
請求項１の１−１のブラウザの検索欄カテゴリ名は、請求項４の４−１で
取得したカテゴリ名を、請求項２の２−１の構造に則って、カテゴリ間の関係が
分かるように視覚的に階層化して段落を付与して表示する。
利用者が、前記の検索欄カテゴリ名の中から、任意にカテゴリ名を選択することで
検索対象カテゴリとし、検索条件の一部とする。
（３−２）
請求項１の１−１のファイル名検索欄は、
メディアファイル名を検索するための入力欄で、検索条件の一部とする。
（３−３）
請求項１の１−１の収録内容検索欄は、
メディアファイルの収録内容を検索するための入力欄で、検索条件の一部とする。
前記の収録内容とは、動画ファイルの場合はメタ情報であり、音声ファイルの
場合はメタ情報、および音声内容である。
（３−４）
請求項１の１−１の紹介文検索欄は、請求項２の２−１の紹介文を検索するための
入力欄で、検索条件の一部とする。
（３−５）
請求項１の１−１の検索開始機能は、検索開始機能の表示部分を選択することで、
３−１から３−４の検索欄で選択、あるいは入力した検索条件を組み合わせて、
請求項４のエンジンに対して検索条件を送信して検索を開始する。
（３−６）
請求項１の１−１の検索結果表示欄は、請求項４の４−４で受信した編集結果の
カテゴリ名、サイト情報、ファイル名、収録内容、紹介文のうち、前記の
カテゴリ名を請求項２の２−１の構造に則って、カテゴリ間の関係が
分かるように視覚的に階層化して段落を付与して展開表示する。
前記のサイト情報、ファイル名、収録内容、紹介文は、それぞれが属する
カテゴリ名の配下に表示する。
【請求項４】
請求項４のエンジンは、４−１から４−４の機能を搭載した請求項１の属性検索
システム。
（４−１）
検索欄カテゴリ名取得編集返信機能は、４−１−１から４−１−３の機能を
搭載する。
（４−１−１）
請求項１の１−１の検索欄の検索欄カテゴリ名を表示するために
カテゴリ情報を取得する検索欄カテゴリ名取得機能。
取得方法は、４−１−１−ａ、あるいは４−１−１−ｂの２種類がある。
（４−１−１−ａ）
請求項１の１−３の属性ファイルからカテゴリ情報を取得。
（４−１−１−ｂ）
請求項１の１−５のコンピュータのハードディスクにフォルダを
設ける。
前記のフォルダは、請求項２の２−１のカテゴリと一致し、前記の
フォルダからカテゴリ情報を取得。
（４−１−２）
４−１−１で取得した検索欄カテゴリ名を、請求項２の２−１の構造に
則って、カテゴリ間の関係が分かるように視覚的に階層化して段落を
付与して展開表示する編集を行う検索欄カテゴリ名編集機能。
（４−１−３）
４−１−２の編集結果を請求項１の１−１のブラウザに返信する
検索欄カテゴリ名返信機能。
（４−２）
請求項１の１−１、および請求項３のブラウザの検索欄で指定した
検索条件を基に、請求項１の１−３、および請求項２の属性ファイル、
およびメディアファイルを検索するための検索機能。
（４−３）
４−２の検索結果のカテゴリ名、サイト情報、ファイル名、収録内容、
紹介文のうち、前記のカテゴリ名を請求項２の２−１の構造に則って、
カテゴリ間の関係が分かるように視覚的に階層化して段落を付与して
展開表示するために編集する。
前記のサイト情報、ファイル名、収録内容、紹介文は、それぞれが属する
カテゴリ名の配下に編集する編集機能。
（４−４）
４−３の編集結果を、請求項１の１−１、および請求項３のブラウザに
返信する返信機能。
【手続補正２】
【補正対象書類名】明細書
【補正対象項目名】全文
【補正方法】変更
【補正の内容】
【発明の詳細な説明】
【技術分野】
【０００１】
本発明は、世界中のインターネット利用者（以下、利用者と記す）が対象となる。
【背景技術】
【０００２】
インターネットと検索エンジンの普及により、あらゆる内容の情報を得られるように
なった。このような検索エンジンが記載された文献としては、下記特許文献を
挙げる。
【特許文献１】特許公開２００６−３１０８４号公報
【特許文献２】特許公開２００２−１３２８０８号公報
【特許文献３】特許公開２０００−１１２９７２号公報
【発明の開示】
【発明が解決しようとする課題】
【０００３】
検索結果の視覚的な分類表示に対する課題。
インターネットと検索エンジンの普及により、あらゆる情報を得られるように
なったが、情報量が膨大であるがゆえに、情報量と比例して利用者が情報を分類する
労力は増加する。
（０００３−１）
例えば、従来の検索エンジンを利用して仮に「特許」というキーワードで
検索すると、約２６，０００，０００件のサイトが検索結果としてヒットするが、
この検索結果は、サイトのタイトルやＵＲＬや簡単なサイトの内容や
最終更新日などが、単なる検索結果のリストの一覧で表示されるため、利用者の
検索結果が、カテゴリ全体に対してどのカテゴリに分布しているか、および
分布先のカテゴリのヒット件数がどの程度であるか、視覚的にも不明である為、
利用者が閲覧を希望するカテゴリを優先的に効率よく閲覧することが困難である。
（０００３−２）
また、約２６，０００，０００件の検索結果を１ページあたり１０件単位で閲覧
する場合、２，６００，０００ページに相当する検索結果を閲覧しなければならず、
現実として全てを閲覧することは困難であり、２６，０００，０００件の
検索結果のうち、半分以上の検索結果を閲覧せずに終わっているのが現状であろう。
一方、別の検索エンジンでは、検索結果としてカテゴリも表示されるが、
カテゴリ全体のどのカテゴリに分布するかという全体を表示するものではなく、
単なる検索結果のリストの一覧の形式で表示されるため、利用者の検索結果が、
カテゴリ全体に対してどのカテゴリに分布しているか、および分布先のカテゴリの
ヒット件数が不明である。
（０００３−３）
このように、従来の検索エンジンは、情報をカテゴリで分類しているにも関わらず、
検索結果を視覚的にカテゴリで分類せず、単なる検索結果のリストの一覧で表示して
いるため、検索結果のリストの一覧と、時には利用者の勘を頼りにサイトを
閲覧せざるを得ないという不便が残る。
つまり、検索結果の分類作業の負担は利用者に課せられている。
【０００４】
検索キーワードの柔軟性に対する課題。
インターネットで情報を検索する場合、キーワードを対象にして検索されるが、
前記のキーワードはＨＴＭＬファイルに単語の羅列でのみ記述しなければならず、
また、記述できるキーワードの数にも上限があり、利用者が本来希望している
検索結果を取得できない場合がある。
例えば、従来の検索エンジンで検索結果を絞り込みたい場合は、検索条件入力欄で
複数のキーワードを区切って検索ができるが、このような検索は、検索対象となる
ＨＴＭＬファイルのキーワードと一致するかをチェックする為、利用者が閲覧したい
サイトが存在したとしても、前記のファイルのキーワードと一致しない限り、
利用者が当該サイトを閲覧することはできない。皮肉にも検索するための
キーワードが、閲覧を希望するサイトの検索を妨げている場合がある。
【０００５】
メディアファイルの検索機能に対する課題。
インターネットで情報を検索する場合、サイトだけではなく、音声ファイルや
動画ファイル（以下、メディアファイルと記す）を検索する事があるが、その際、
前記のメディアファイルを検索する条件が少ない為、利用者が本来希望している
検索結果を取得できない場合がある。
例えば、従来の検索エンジンも、前記のメディアファイルの検索を可能とするが、
前記のメディアファイルの検索条件には、前記のメディアファイルの保存形式による
検索や、前記のメディアファイルのサイズによる検索など、前記のメディアファイルの
外見特徴を主とした検索であるが、前記の外見特徴はメディアファイルを検索した
結果で判明する情報であり、利用者が前記のメディアファイルを検索する時点では、
前記の外見特徴はほとんどの場合は不明である。
本来、利用者が前記のメディアファイルを検索する場合の条件は、外見特徴よりも
前記のメディアファイルのタイトル、出演者名、ハイライト名、説明、あるいは
著作権名などを推測して検索条件とする方が自然であり、かつ利用しやすい。
今後もさらに科学技術が発展する過程で、情報伝達媒体も比例して発展すると
思われ、従来のテキストデータによる情報伝達媒体もさることながら、
テキストデータでは表現できない情報伝達媒体については、前記のメディアファイルの
必要性が高まると推測する。
前記のメディアファイルの新たな検索手段を講じる必要がある。
【課題を解決するための手段】
【０００６】
課題を解決するための全体の構成を説明する。
（０００６−１）
インターネットに接続した利用者のコンピュータや携帯電話に搭載した
ブラウザ（以下、ブラウザと記す）に検索欄と検索結果表示欄を設け、
検索欄は、検索欄カテゴリ名、ファイル名検索欄、紹介文検索欄、および
検索開始機能を搭載する。
（０００６−２）
インターネットに接続した属性検索コンピュータ（以下、コンピュータと記す）
を設置する。
（０００６−３）
インターネットに公開済み、あるいは今後公開するサイトを分類した
カテゴリ情報、およびサイト情報を、ＸＭＬ形式で記述した属性ファイル。
（０００６−５）
０００６−３の属性ファイル、あるいはメディアファイルは、
０００６−５−ａ、あるいは０００６−５−ｂの２種類の構成とする。
（０００６−５−ａ）
０００６−２のコンピュータのハードディスクに搭載。
（０００６−５−ｂ）
０００６−２のコンピュータとは別のコンピュータのハードディスクに搭載。
【０００７】
０００３、および０００４の課題を解決するために、０００６−３の手段を
説明する。
（０００７−１）
０００６−３の属性ファイルに記述するサイトの分類と構造は、
上位分類・中位分類・下位分類（以下、カテゴリと記す）に分類し、
下位分類の配下は属性名に分類し、属性名には属性値を設定して、
０００６−３の属性ファイルの構造（以下、構造と記す）とする。
前記の属性名は、サイトのタイトル、サイトのＵＲＬ、サイトの紹介文
（以下、紹介文と記す）とする。
前記のカテゴリをカテゴリ情報とし、前記の属性名、および属性値をサイト情報と
する。
（０００７−２）
０００６−３の属性ファイルに記述するカテゴリ情報、およびサイト情報は、
０００７−１の構造に則って、０００７−２−１、および０００７−２−２の
内容とする。
（０００７−２−１）
０００７−１のカテゴリ情報は、０００７−２−１−ａ、あるいは
０００７−２−１−ｂの２種類がある。
（０００７−２−１−ａ）
任意のカテゴリ名を属性ファイルに記述。
（０００７−２−１−ｂ）
任意のカテゴリ関係名、および０００７−２−１−ａのカテゴリ名を
属性ファイルに記述。
（０００７−２−２）
０００７−１のサイト情報は、０００７−２−２−ａ、あるいは
０００７−２−２−ｂの２種類がある。
（０００７−２−２−ａ）
任意の属性名、および任意の属性値を属性ファイルに記述。
（０００７−２−２−ｂ）
任意の属性関係名、および任意の属性値を属性ファイルに記述。
【０００８】
０００３から０００５の課題を解決するために、０００６−１の手段を説明する。
０００６−１のブラウザの検索欄は、０００８−１から０００８−５の機能で実現し、
０００６−１のブラウザの検索結果表示欄は、０００８−６の機能で実現する。
（０００８−１）
０００６−１のブラウザの検索欄カテゴリ名は、０００９−１で取得した
カテゴリ名を、０００７−１の構造に則って、カテゴリ間の関係が分かるように
視覚的に階層化して段落を付与して表示する。
利用者が、前記の検索欄カテゴリ名の中から、任意にカテゴリ名を選択することで
検索対象カテゴリとし、検索条件の一部とする。
（０００８−２）
０００６−１のファイル名検索欄は、メディアファイル名を検索するための
入力欄で、検索条件の一部とする。
（０００８−３）
０００６−１の収録内容検索欄は、
メディアファイルの収録内容を検索するための入力欄で、検索条件の一部とする。
前記の収録内容とは、動画ファイルの場合はメタ情報であり、音声ファイルの場合は
メタ情報、および音声を記述している箇所である。
前記のメタ情報は、ファイルのタイトル、説明、出演者、ハイライト名、
著作権名など、つまり前記のメディアファイルの構造のうち、動画自体を宣言
している箇所以外の動画ファイルの説明を記述する箇所であり、
メディアファイル向けＸＭＬのタグ名、あるいはタグ名に対する属性値である。
（０００８−４）
０００６−１の紹介文検索欄は、０００７−１の紹介文を検索するための入力欄で、
検索条件の一部とする。
（０００８−５）
０００６−１の検索開始機能は、検索開始機能の表示部分を選択することで、
０００８−１から０００８−４の検索欄で選択、あるいは入力した検索条件を
組み合わせて、０００９のエンジンに対して検索条件を送信して検索を開始する。
（０００８−６）
０００６−１の検索結果表示欄は、０００９−４で受信した編集結果のカテゴリ名、
サイト情報、ファイル名、収録内容、紹介文のうち、前記のカテゴリ名を
０００７−１の構造に則って、カテゴリ間の関係が分かるように視覚的に階層化して
段落を付与して展開表示する。
前記のサイト情報、ファイル名、収録内容、紹介文は、それぞれが属する
カテゴリ名の配下に表示する。
【０００９】
０００９のエンジンは、０００９−１から０００９−４の機能を搭載する。
（０００９−１）
検索欄カテゴリ名取得編集返信機能は、０００９−１−１から０００９−１−３の
機能がある。
（０００９−１−１）
０００６−１の検索欄の検索欄カテゴリ名を表示するためにカテゴリ情報を
取得する検索欄カテゴリ名取得機能。
取得方法は、０００９−１−１−ａ、あるいは０００９−１−１−ｂの２種類が
ある。
（０００９−１−１−ａ）
０００６−３の属性ファイルからカテゴリ情報を取得。
（０００９−１−１−ｂ）
０００６−５のコンピュータのハードディスクにフォルダを設ける。
前記のフォルダは、０００７−１のカテゴリと一致し、前記のフォルダから
カテゴリ情報を取得。
（０００９−１−２）
０００９−１−１で取得した検索欄カテゴリ名を、０００７−１の構造に
則って、カテゴリ間の関係が分かるように視覚的に階層化して段落を付与して
展開表示する編集を行う検索欄カテゴリ名編集機能。
（０００９−１−３）
０００９−１−２の編集結果を０００６−１のブラウザに返信する
検索欄カテゴリ名返信機能。
（０００９−２）
０００６−１、および０００８のブラウザの検索欄で指定した検索条件を基に、
０００６−３、および０００７の属性ファイルと、メディアファイルを検索
するための検索機能。
（０００９−３）
０００９−２の検索結果のカテゴリ名、サイト情報、ファイル名、収録内容、
紹介文のうち、前記のカテゴリ名を０００７−１の構造に則って、
カテゴリ間の関係が分かるように視覚的に階層化して段落を付与して展開表示
するために編集する。
前記のサイト情報、ファイル名、収録内容、紹介文は、それぞれが属する
カテゴリ名の配下に編集する編集機能。
（０００９−４）
０００９−３の編集結果を、０００６−１、および０００８のブラウザに返信する
返信機能。
【発明の効果】
【００１０】
０００６−１、０００６−３の手段で、以下の効果がある。
検索結果の視覚的な分類表示による操作性向上、分類労力の軽減、および
検索キーワードの柔軟性向上による検索条件の用途拡大。
（００１０−１）
この発明では、検索条件と検索結果をカテゴリで分類し、ひとつのブラウザの
検索欄と検索結果表示欄にそれぞれカテゴリ別に視覚的に階層化して段落を付与して
一度に表示して使用できる。
検索する場合においては、利用者は、それぞれカテゴリ別に分類され視覚的に
階層化して段落を付与した検索欄の中から、検索対象とするカテゴリを選択
するだけで検索対象カテゴリとして指定できる。
（００１０−２）
また、前記のカテゴリだけではなく、メディアファイルを検索する条件を設け、
ひとつは、前記のメディアファイル名を検索するファイル名検索欄と
一方は、前記のメディアファイルのタイトル、説明、出演者、ハイライト名、
著作権名などを検索する収録内容検索欄である。
利用者は、前記のメディアファイル名、あるいはメディアファイルのタイトル、
説明、出演者、ハイライト名、著作権名などを推測して検索できる。
前記のファイル名検索、および収録内容検索は、ＯＳ、ＸＭＬ、あるいは
メディアファイル向けＸＭＬが準拠する禁則文字以外は無限に指定できる。
（００１０−３）
さらに、サイト検索の場合に、ＨＴＭＬファイルのキーワードだけに頼らず、
紹介文を設けて紹介文に記述する文章の検索も実現する紹介文検索欄である。
文章による検索が可能になることで、従来のキーワードの組み合わせを考慮しながら
サイトの検索を行う必要がないため、利用者が自由に検索条件を利用できる。
０００４にも説明しているが、ＨＴＭＬファイルのキーワードの用途には有限性が
あるが、紹介文の用途はＯＳ、ＸＭＬ、あるいはメディアファイル向けＸＭＬが
準拠する禁則文字を除いては無限である。
（００１０−４）
００１０−２のファイル名検索欄、および収録内容検索欄、および００１０−３の
紹介文検索欄は、それぞれ００１０−１のカテゴリ別に組み合わせて検索することが
可能である。
つまり、カテゴリ数×３（前記の検索欄３箇所）の検索条件の組み合わせを一度で
指定できる。
（００１０−５）
一方、００１０−１の検索結果表示欄も、それぞれカテゴリ別に視覚的に
階層化して段落を付与して一度に表示するため、容易にカテゴリを選択してサイトを
閲覧できる。
例えば、従来の検索エンジンを利用して仮に「特許」というキーワードで
検索すると、約２６，０００，０００件のサイトが検索結果としてヒットし、
約２６，０００，０００件の検索結果を１ページあたり１０件単位で閲覧する場合、
２，６００，０００ページに相当する検索結果を閲覧する必要があるが、
この発明では、検索結果表示欄にそれぞれカテゴリ別に視覚的に階層化して段落を
付与して一度（１ページ）に表示して使用できる。
つまり、カテゴリの全体に対する検索結果のカテゴリの分布、および分布先の
カテゴリのヒット件数が視覚的にも明確である為、利用者が閲覧を希望する
カテゴリを優先的に効率よく閲覧することが可能である。
【００１１】
（００１１−１）
０００６−３の手段で、以下の効果が挙げられる。
検索キーワードの柔軟性向上による検索条件の用途拡大、および利用者への
検索利便性の向上。
この発明では、ＸＭＬ形式で作成した属性ファイルを採用し、前記の属性ファイルに
サイトを紹介する紹介文を記述する。
サイトを検索する場合には、利用者が検索条件として入力した紹介文が、
どの属性ファイルの紹介文に含まれるかを検索する。
ＨＴＭＬファイルに記述するキーワードは単語の羅列のみの制約があるが、
前記の紹介文は、ＯＳ、ＸＭＬ、あるいはメディアファイルＸＭＬが準拠する
禁則文字以外は制約がないため、自由に紹介文を記述できる。
（００１１−２）
また、利用者も、文章による検索が可能になることで、従来のキーワードの
組み合わせを考慮しながらサイトの検索を行う必要がないため、利用者が自由に
検索条件を利用できる。
【００１２】
（００１２−１）
０００６−１、０００６−３の手段で、以下の効果が挙げられる。
メディアファイルの検索機能の充実。
利用者が前記のメディアファイルを検索する条件も多種多様に用意した。
例として、歌詞の一部しか分からない音声ファイルを検索するケースや、
ある出来事のハイライトを収録した動画ファイルを検索するケースなど多数
考えられ、出来事の名称、開催名、推測できるハイライト名、出演者、あるいは
著作権名など多数である。
この発明では、前記のメディアファイルの名称を検索するファイル名検索欄と、
前記のメディアファイルの収録内容を検索する収録内容検索欄を備えている。
前記のファイル名検索欄は、検索したいメディアファイルのファイル名を入力し
検索できる。
前記の収録内容検索欄は、検索したいメディアファイルのタイトル、説明、
出演者、ハイライト名、著作権名などを入力し検索できる。
前記のファイル名検索、および前記の収録内容検索の検索条件は、ＯＳ、ＸＭＬ、
あるいはメディアファイル向けＸＭＬが準拠する禁則文字以外は無限である。
前記のメディアファイルに利用者が検索しやすい詳細な文言を記述することで
さらに検索しやすくなる。
（００１２−２）
今後もさらに科学技術が発展する過程で、情報伝達媒体も比例して発展すると
思われ、従来のテキストデータによる情報伝達媒体もさることながら、
テキストデータでは表現できない情報伝達媒体については、前記の
メディアファイルの必要性が高まると推測する。
この発明では、前記のメディアファイルの新たな検索手段を提供する。
【発明を実施するための最良の形態】
【００１３】
図１にシステムの構成を説明する。
（００１３−１）
インターネットに接続した利用者のコンピュータや携帯電話に搭載した
ブラウザ（以下、ブラウザと記す）に検索欄と検索結果表示欄を設け、
検索欄は、検索欄カテゴリ名、ファイル名検索欄、紹介文検索欄、および
検索開始機能を搭載する。前記のブラウザは、図１の１に相当する。
（００１３−２）
インターネットに接続した属性検索コンピュータ（以下、コンピュータと記す）
を設置し、図１の２に相当する。
（００１３−３）
インターネットに公開済み、あるいは今後公開するサイトを分類したカテゴリ情報、
およびサイト情報を、ＸＭＬ形式で記述した属性ファイル。
前記の属性ファイルは、図１の３に相当する。
（００１３−５）
００１３−３の属性ファイル、あるいはメディアファイルは、００１３−５−ａ、
あるいは００１３−５−ｂの２種類の構成とする。
（００１３−５−ａ）
００１３−２のコンピュータのハードディスクに搭載し、図１の６に相当する。
（００１３−５−ｂ）
００１３−２のコンピュータとは別のコンピュータのハードディスクに搭載し、
図１の７に相当する。
【００１４】
属性ファイルを説明する。
（００１４−１）
図２−１のように、
００１３−３の属性ファイルに記述するサイトの分類と構造は、
上位分類・中位分類・下位分類（以下、カテゴリと記す）に分類し、
下位分類の配下は属性名に分類し、属性名には属性値を設定して、
００１３−３の属性ファイルの構造（以下、構造と記す）とする。
前記の属性名は、サイトのタイトル、サイトのＵＲＬ、サイトの紹介文
（以下、紹介文と記す）とする。
前記のカテゴリをカテゴリ情報（図２−１のａ）とし、前記の属性名、および
属性値をサイト情報（図２−１のｂ）とする。
（００１４−２）
００１３−３の属性ファイルに記述するカテゴリ情報、およびサイト情報は、
００１４−１の構造に則って、００１４−２−１、および００１４−２−２の
内容とする。
（００１４−２−１）
００１４−１のカテゴリ情報は、００１４−２−１−ａ、あるいは
００１４−２−１−ｂの２種類がある。
（００１４−２−１−ａ）
任意のカテゴリ名を属性ファイルに記述し、図２−２に相当する。
（００１４−２−１−ｂ）
任意のカテゴリ関係名、および００１４−２−１−ａのカテゴリ名を
属性ファイルに記述し、図２−３に相当する。
（００１４−２−２）
００１４−１のサイト情報は、００１４−２−２−ａ、あるいは
００１４−２−２−ｂの２種類がある。
（００１４−２−２−ａ）
任意の属性名、および任意の属性値を属性ファイルに記述し、図２−４に
相当する。
（００１４−２−２−ｂ）
任意の属性関係名、および任意の属性値を属性ファイルに記述し、
図２−５に相当する。
【００１５】
ブラウザを説明する。
００１３−１のブラウザの検索欄は、００１５−１から００１５−５の機能で実現し、
００１３−１のブラウザの検索結果表示欄は、００１５−６の機能で実現する。
（００１５−１）
００１３−１のブラウザの検索欄カテゴリ名（図３の１）は、００１６−１で
取得したカテゴリ名を、００１４−１の構造に則って、カテゴリ間の関係が
分かるように視覚的に階層化して段落を付与して表示する。
利用者が、前記の検索欄カテゴリ名の中から、任意にカテゴリ名を選択することで
検索対象カテゴリとし、検索条件の一部とする。
（００１５−２）
００１３−１のファイル名検索欄（図３の２）は、
メディアファイル名を検索するための入力欄で、検索条件の一部とする。
入力内容は、００１３−５のコンピュータのＯＳ、ＸＭＬ、あるいは
メディアファイル向けＸＭＬが準拠する禁則文字以外が使用可能であり、
００１５−３、００１５−４の入力内容も同様である。
（００１５−３）
００１３−１の収録内容検索欄（図３の３）は、
メディアファイルのタイトル、説明、出演者、ハイライト名、著作権名など
（以下、収録内容と記述）を検索するための入力欄で、検索条件の一部とする。
（００１５−４）
００１３−１の紹介文検索欄（図３の４）は、００１４−１の紹介文を
検索するための入力欄で、検索条件の一部とする。
（００１５−５）
００１３−１の検索開始機能（図３の５）は、検索開始機能の表示部分を
選択することで、００１５−１から００１５−４の検索欄で選択、あるいは入力した
検索条件を組み合わせて、００１６のエンジンに対して
検索条件を送信して検索を開始する。
（００１５−６）
００１３−１の検索結果表示欄（図３の６）は、００１６−３で受信した
編集結果のカテゴリ名、サイト情報、ファイル名、収録内容、紹介文のうち、
前記のカテゴリ名を００１４−１の構造に則って、カテゴリ間の関係が
分かるように視覚的に階層化して段落を付与して展開表示する。
前記のサイト情報、ファイル名、収録内容、紹介文は、それぞれが属する
カテゴリ名の配下に表示する。
【００１６】
エンジンを説明する。
００１６のエンジンは、００１６−１から００１６−３の機能を搭載する。
（００１６−１）
検索欄カテゴリ名取得編集返信機能は、００１６−１−１から００１６−１−３の
機能がある。
（００１６−１−１）
検索欄カテゴリ名取得機能とは、００１３−１の検索欄の検索欄カテゴリ名を
表示するためにカテゴリ情報を取得する。
取得方法は、００１６−１−１−ａ、あるいは００１６−１−１−ｂの２種類が
ある。
（００１６−１−１−ａ）
００１３−３の属性ファイル、あるいはメディアファイルからカテゴリ
情報を取得し、図４−１の１に相当する。
（００１６−１−１−ｂ）
００１３−５のコンピュータのハードディスクにフォルダを設ける。
前記のフォルダは、００１４−１のカテゴリと一致し、前記のフォルダから
カテゴリ情報を取得し、図４−１の２に相当する。
（００１６−１−２）
検索欄カテゴリ名編集機能とは、００１６−１−１で取得した
検索欄カテゴリ名を、００１４−１の構造に則って、カテゴリ間の関係が
分かるように視覚的に階層化して段落を付与して展開表示する編集を行う。
（００１６−１−３）
検索欄カテゴリ名返信機能とは、００１６−１−２の編集結果を００１３−１の
ブラウザに返信し、図４−１の３に相当する。
（００１６−２）
検索機能、および編集機能の説明を、想定されるケースを交えて、００１６−２−ａ
から００１６−２−ｄに記載する。
（００１６−２−ａ）
００１３−１、および００１５のブラウザの検索欄で選択、あるいは入力した
検索条件のうち、００１５−１の検索欄カテゴリ名を選択した場合を想定する。
図４−３の１に検索機能を説明する。
前記のブラウザから受信した検索欄カテゴリ名と同じＸＭＬタグ名、あるいは
ＸＭＬタグ名属性値を、００１３−３、および００１４の属性ファイルから
検索する。
また、検索した前記の属性ファイルからサイト情報も取得する。
次に、編集機能を説明する。
００１６−２−ａの検索機能で取得したカテゴリ名を、００１４−１の構造に
則って、カテゴリ間の関係が分かるように視覚的に階層化して段落を付与して
展開表示できる編集を行う。
００１６−２−ａの検索機能で取得したサイト情報を、それぞれが属する前記の
カテゴリ名の配下に編集する。
編集したカテゴリ名、およびサイト情報に、対応するサイト情報のＵＲＬ
（アンカー）を付与して編集する。
前記のＵＲＬ自体にもアンカーを付与して編集する。
（００１６−２−ｂ）
００１３−１、および００１５のブラウザの検索欄で選択、あるいは入力した
検索条件のうち、００１５−２のメディアファイル名を入力した場合を
想定する。
検索機能を説明する。
前記のブラウザから受信したファイル名をメディアファイルから検索し、
図４−４−１の１、あるいは図４−４−２の１に相当する。
また、メディアファイルのＵＲＬ（ＵＲＩ）を記述しているＸＭＬタグ名、
あるいはＸＭＬタグ名属性値を検索し、図４−４−１の２、あるいは
図４−４−２の２に相当する。
また、検索したメディアファイルのカテゴリ名も検索するが、カテゴリ名の
検索方法は００１６−２−ｂ−１、あるいは００１６−２−ｂ−２である。
（００１６−２−ｂ−１）
メディアファイルのＸＭＬタグ名、あるいは
ＸＭＬタグ名属性値にカテゴリ名を記述することを前提とし、前記の
ＸＭＬタグ名、あるいはＸＭＬタグ名属性値から検索する。
前記のＸＭＬタグ名、あるいはＸＭＬタグ名属性値は、メタ情報、
あるいは変数に記述するが、ＯＳ、ＸＭＬ、あるいはメディアファイル向け
ＸＭＬの仕様に準拠して記述し、図４−４−１の３に相当する。
（００１６−２−ｂ−２）
００１３−５のコンピュータのフォルダごとに、該当する
メディアファイルを置くことを前提とし、フォルダ名をカテゴリ名として
検索し、図４−４−２の３に相当する。
００１６−２−ｂの検索機能は、メディアファイル名の部分一致検索も
可能とする。
次に、編集機能を説明する。
００１６−２−ｂの検索機能で取得したカテゴリ名を、００１４−１の構造に
則って、カテゴリ間の関係が分かるように視覚的に階層化して段落を付与して
展開表示できる編集を行う。
００１６−２−ｂの検索機能で取得したメディアファイル名を、それぞれが
属する前記のカテゴリ名の配下に編集する。
編集したメディアファイル名に、００１６−２−ｂの検索機能で取得した
ＵＲＬ、あるいはＵＲＩ（アンカー）を付与して編集する。
（００１６−２−ｃ）
００１３−１、および００１５のブラウザの検索欄で選択、あるいは入力した
検索条件のうち、００１５−３の収録内容を入力した場合を想定する。
検索機能を説明する。
前記のブラウザから受信した収録内容が含まれるＸＭＬタグ名、あるいは
ＸＭＬタグ名属性値をメディアファイルから検索し、
検索したメディアファイルのＵＲＬ（ＵＲＩ）も取得し、図４−５−１の１、
あるいは図４−５−２の１に相当する。
尚、図４−５−１は、００１６−２−ｂ−１の方法を採用する場合の
イメージで、図４−５−２は、００１６−２−ｂ−２の方法を採用する場合の
イメージである。
前記の収録内容とは、動画ファイルの場合は、タイトル、説明、出演者、
ハイライト名、著作権名などが含まれるＸＭＬタグ名、あるいは
ＸＭＬタグ名属性値であり、音声ファイルの場合は、タイトル、説明、
出演者、ハイライト名、著作権名など、および音声内容を記述している
ＸＭＬタグ名、あるいはＸＭＬタグ名属性値である。
また、検索したメディアファイルのカテゴリ名も検索するが、検索方法は
図４−５−１の２、あるいは図４−５−２の２に該当する。
００１６−２−ｃの検索機能は、収録内容の部分一致検索も可能とする。
次に、編集機能を説明する。
００１６−２−ｃの検索機能で取得したカテゴリ名を、００１４−１の構造に
則って、カテゴリ間の関係が分かるように視覚的に階層化して段落を付与して
展開表示できる編集を行う。
００１６−２−ｃの検索機能で取得したメディアファイルの収録内容を、
それぞれが属する前記のカテゴリ名の配下に編集する。
編集したタイトルに、ＵＲＬ、あるいはＵＲＩ（アンカー）を付与して
編集する。
（００１６−２−ｄ）
００１３−１、および００１５のブラウザの検索欄で選択、あるいは入力した
検索条件のうち、００１５−４の紹介文を入力した場合を想定する。
図４−６の１に検索機能を説明する。
前記のブラウザから受信した紹介文が含まれるＸＭＬタグ名、あるいは
ＸＭＬタグ名属性値を、００１３−３、および００１４の属性ファイルから
検索する。
また、検索した属性ファイルからサイト情報も取得する。
００１６−２−ｄの検索機能は、紹介文の部分一致検索も可能とする。
次に、編集機能を説明する。
００１６−２−ｄの検索機能で取得したカテゴリ名を、００１４−１の構造に
則って、カテゴリ間の関係が分かるように視覚的に階層化して段落を付与して
展開表示できる編集を行う。
００１６−２−ｄの検索機能で取得した紹介文、およびサイト情報を、
それぞれが属するカテゴリ名の配下に編集する。
編集したカテゴリ名、およびサイト情報に、対応するサイト情報のＵＲＬ
（アンカー）を付与して編集する。
前記のＵＲＬ自体にもアンカーを付与して編集する。
００１６−２−ａから００１６−２−ｄの検索は、利用者の意図によって複数
組み合わせるケースがあるため、００１３−１、および００１５のブラウザの
検索欄で利用者が選択、あるいは入力した内容に則って組み合わせて検索する。
（００１６−３）
００１６−２−ａから００１６−２−ｄの編集結果を、００１３−１、および
００１５のブラウザに返信する。
００１６−２−ａのケースは図４−３の２に該当する。
００１６−２−ｂのケースは図４−４−１の４、あるいは図４−４−２の４に
該当する。
００１６−２−ｃのケースは図４−５−１の３、あるいは図４−５−２の３に
該当する。
００１６−２−ｄのケースは図４−６の２に該当する。
【産業上の利用可能性】
【００１７】
本発明は、世界中のインターネット利用者に対するものである。
【図面の簡単な説明】
【００１８】
【図１】システム構成図。
【図２−１】属性ファイルの構造図。
【図２−２】任意のカテゴリ名を属性ファイルに記述した場合のカテゴリ情報の記述例。
【図２−３】任意のカテゴリ関係名を属性ファイルに記述した場合のカテゴリ情報の記述例。
【図２−４】任意の属性名、および任意の属性値を属性ファイルに記述した場合のサイト情報の記述例。
【図２−５】任意の属性関係名を属性ファイルに記述した場合のサイト情報の記述例。
【図３】ブラウザの説明図である。
【図４−１】属性ファイルからカテゴリ情報を取得した場合、およびコンピュータのハードディスクのフォルダからカテゴリ情報を取得した場合の検索欄カテゴリ名取得機能の説明図。
【図４−２】コンピュータのハードディスクのフォルダからカテゴリ情報を取得した場合の検索欄カテゴリ名取得機能の説明図。
【図４−３】検索欄カテゴリ名を選択した場合の説明図。
【図４−４−１】メディアファイル名検索の説明図。（メディアファイルからカテゴリ情報を取得した場合）
【図４−４−２】メディアファイル名検索の説明図。（コンピュータのハードディスクのフォルダからカテゴリ情報を取得した場合）
【図４−５−１】収録内容の検索説明図。（メディアファイルからカテゴリ情報を取得した場合）
【図４−５−２】収録内容の検索説明図。（コンピュータのハードディスクのフォルダからカテゴリ情報を取得した場合）
【図４−６】紹介文検索の説明図。
【符号の説明】
【００１９】
図１の１          ブラウザ。
図１の２          属性検索コンピュータ。
図１の３ 属性ファイル。
図１の６ 図１の２のコンピュータのハードディスクに搭載した
属性ファイル、およびメディアファイル。
図１の７          図１の２のコンピュータとは別のコンピュータのハードディスクに
搭載した属性検索エンジン、属性ファイル、および
メディアファイル。
図２−１のａ      カテゴリ情報。
図２−１のｂ      サイト情報。
図３の１          検索欄カテゴリ名。
図３の２          ファイル名検索欄。
図３の３          収録内容検索欄。
図３の４          紹介文検索欄。
図３の５          検索開始機能。
図３の６          検索結果表示欄。
図４−１の１・２  検索欄カテゴリ名取得編集。
図４−１の３      検索欄カテゴリ名返信。
図４−３の１      カテゴリ名、およびサイト情報検索編集。
図４−３の２      カテゴリ名、およびサイト情報編集結果返信。
図４−４−１の１  ファイル名検索編集。
図４−４−１の２  ＵＲＬ（ＵＲＩ）検索編集。
図４−４−１の３  カテゴリ名検索編集。
図４−４−１の４  編集結果返信。
図４−４−２の１  ファイル名検索編集。
図４−４−２の２  ＵＲＬ（ＵＲＩ）検索編集。
図４−４−２の３  カテゴリ名検索編集。
図４−４−２の４  編集結果返信。
図４−５−１の１  収録内容、ＵＲＬ（ＵＲＩ）検索編集。
図４−５−１の２  カテゴリ名検索編集。
図４−５−１の３  編集結果返信。
図４−５−２の１  収録内容、ＵＲＬ（ＵＲＩ）検索編集。
図４−５−２の２  カテゴリ名検索編集。
図４−５−２の３  編集結果返信。
図４−６の１      カテゴリ情報、およびサイト情報検索編集。
図４−６の２      編集結果返信。
【手続補正３】
【補正対象書類名】図面
【補正対象項目名】図１
【補正方法】変更
【補正の内容】
【図１】
2007279927.tif 000038